(57)【要約】  薬剤のパッケージングおよび分配システムが提供される。本システムは、薬剤を包含する複数の薬剤ブックレットと、薬剤ブックレットを保持するように構成されたトレーとを含み得る。各薬剤ブックレットは、複数の前方切抜きおよび複数の後方切抜きと整列した、プルタブの連続したタブアセンブリを含み得る。この整列した構成により、薬剤ブックレットからの薬剤の分配が促される。トレーは、ある傾斜角度でトレーの底壁から延びる立上り部を含み得、第１のガイドパネルは、複数の線形の止め部を含んでいる。傾斜角度は、第１のガイドパネルのピッチに対応し得る。立上り部および複数の線形の止め部は、協同して、トレーの底壁に対してほぼ平行な、ずらされた構成に薬剤ブックレットを維持することができる。本システムは、トレーを保持するための容器をさらに含み得る。
2018531705.tif 000002
【特許請求の範囲】
【請求項１】
薬剤ブックレットを構築するためのブランクであって、ブランクは
複数の折曲げ線に沿ってともに結合した複数のパネルであって、
内部に規定された複数の前方切抜きを備えた内側フロントパネルと、
複数のプルタブを含む連続したタブアセンブリを備えた外側フロントパネルと、
内部に規定された複数の後方切抜きを備えたバックパネルと、
を備える、複数のパネル
を備え、
前記複数のプルタブの各プルタブが、薬剤ブックレットが前記ブランクから形成される際に、前記複数の前方切抜きの関連する前方切抜き、および、前記複数の後方切抜きの関連する後方切抜きと実質的に整列している、
薬剤ブックレットを構築するためのブランク。
【請求項２】
複数のプルタブの各プルタブが、プルタブのグリップ部分とテール部分との境界を定める外辺部を有し、
前記連続したタブアセンブリの第１のプルタブのテール部分が、連続した第２のプルタブのグリップ部分に当接し、それにより、前記第１のプルタブの前記連続したタブアセンブリからの除去が、前記第２のプルタブの前記グリップ部分へのアクセスを可能にするようになっている
請求項１に記載のブランク。
【請求項３】
前記複数の前方切抜きの少なくとも１つが、内部に配置され、前記少なくとも１つの前方切抜きの外辺部の少なくとも一部に沿って結合するリマインダタブを含み、前記リマインダタブが、薬剤ブックレットのユーザに薬剤処方計画に関連するリマインダを提供するように、その上に印を含み、それにより、薬剤ブックレットが前記ブランクから形成された際に、前記連続したタブアセンブリのプルタブの除去により、前記リマインダタブをユーザに露出させるようになっている、請求項１に記載のブランク。
【請求項４】
頂壁であって、
複数のプルタブを備える連続したタブアセンブリを備えた外側パネルと、
前記外側パネルと対面する関係で結合した内側パネルであって、前記内側パネルが、内部に規定された複数の前方切抜きとを備え、前記複数のプルタブの各プルタブが、前記複数の前方切抜きの関連する前方切抜きと実質的に整列している、
頂壁と、
内部に規定された複数の後方切抜きを備えた、反対側の底壁であって、前記複数のプルタブの各プルタブが、さらに、前記複数の後方切抜きの関連する後方切抜きと実質的に整列している、底壁と、
を備えた、薬剤ブックレット。
【請求項５】
前記複数のプルタブの各プルタブが、前記プルタブのグリップ部分とテール部分との境界を定める外辺部を有し、
前記連続したタブアセンブリの第１のプルタブのテール部分が、連続した第２のプルタブのグリップ部分に当接し、それにより、前記第１のプルタブの前記連続したタブアセンブリからの除去が、前記第２のプルタブの前記グリップ部分へのアクセスを可能にするようになっている、
請求項４に記載の薬剤ブックレット。
【請求項６】
前記複数の前方切抜きの少なくとも１つが、内部に配置され、前記少なくとも１つの前方切抜きの外辺部の少なくとも一部に沿って結合するリマインダタブを含み、前記リマインダタブが、前記薬剤ブックレットのユーザに薬剤処方計画に関連するリマインダを提供するように、その上に印を含み、それにより、前記連続したタブアセンブリのプルタブの除去が、ユーザが薬剤を前記薬剤ブックレットから分配する前に、前記リマインダタブをユーザに露出させるようになっている、請求項４に記載の薬剤ブックレット。
【請求項７】
薬剤ブリスターカードと、前記薬剤ブックレットによって画定されたキャビティ内に保持されたパックと、をさらに備え、前記薬剤ブリスターカードが、前記パックに接着されている、請求項４に記載の薬剤ブックレット。
【請求項８】
前記薬剤ブリスターカードが複数の薬剤ブリスターモジュールを含み、前記複数の薬剤ブリスターモジュールの各薬剤ブリスターモジュールが、前記複数の後方切抜きの関連する後方切抜きと実質的に整列して、前記薬剤ブリスターモジュール内に包含された薬剤が、前記関連する後方切抜きを通して分配されることを可能にする、請求項７に記載の薬剤ブックレット。
【請求項９】
前記薬剤ブリスターカードが複数の空のブリスターモジュールを含み、前記複数のプルタブの各テール部分が、前記複数の空のブリスターモジュールの関連する空のブリスターモジュールと実質的に整列して、いずれのテール部分の、前記薬剤ブックレットによって画定された前記キャビティ内への押圧をも実質的に防止する、請求項７に記載の薬剤ブックレット。
【請求項１０】
ブランクから薬剤ブックレットを形成するための方法であって、ブランクが、複数の折曲げ線に沿ってともに結合された複数のパネルを含み、複数のパネルが、内部に規定された複数の前方切抜きを含む内側フロントパネルと、複数のプルタブを含む連続したタブアセンブリを含む外側フロントパネルと、第１のサイドパネルと、内部に規定された複数の後方切抜きとを含むバックパネルを含み、
連続したタブアセンブリの各プルタブが、複数の前方切抜きの関連する前方切抜きと実質的に整列するように、内側フロントパネルを折曲げ線周りに、外側フロントパネルと対面する関係になるように回転させるステップと、
第１のサイドパネルを折曲げ線周りに、バックパネルに対してほぼ垂直な関係になるように回転させるステップと、
前方切抜きの各々が、複数の後方切抜きの関連する後方切抜きと実質的に整列するように、外側フロントパネルを折曲げ線周りに、バックパネルに対してほぼ平行な関係になるように回転させるステップと、
を含む、ブランクから薬剤ブックレットを形成するための方法。
【請求項１１】
複数の薬剤ブリスターモジュールを含む薬剤ブリスターカードをパックに接着するステップと、
薬剤ブリスターモジュールの各々が、複数の後方切抜きの関連する後方切抜きと実質的に整列するように、バックパネルの内側表面に対してパックを結合させるステップと、
をさらに含む、請求項１０に記載の方法。
【請求項１２】
ブランクが、バックパネルの第１の端縁部から延びる第１の内側端部パネルと、外側フロントパネルの第１の端縁部から延びる第１の外側端部パネルとをさらに含み、
第１の内側端部パネルを、パックの第１の端壁と対面する関係になるように回転させるステップと、
第１の内側端部パネルをパックの第１の端壁に固定するステップと、
第１の外側端部パネルを、第１の内側端部パネルと対面する関係になるように回転させるステップと、
第１の外側端部パネルを第１の内側端部パネルに固定するステップと、
をさらに含む、請求項１１に記載の方法。
【請求項１３】
複数のパネルが、第１のサイドパネルとは反対側の、バックパネルから延びる第２のサイドパネルと、バックパネルとは反対側の、第２のサイドパネルから延びるフロント接着剤パネルと、をさらに含み、
第２のサイドパネルを、バックパネルに対してほぼ垂直な関係になるように回転させるステップと、
フロント接着剤パネルを、外側フロントパネルと対面する関係になるように回転させるステップと、
フロント接着剤パネルを外側フロントパネルに固定するステップと、
をさらに含む、請求項１０に記載の方法。
【請求項１４】
トレーを構築するためのブランクであって、
概して平行な複数の折曲げ線に沿ってともに結合した複数のパネルであって、前記複数のパネルが、
第１の外側サイドパネルと、
底部パネルと、
立上りパネルと、
を含む、複数のパネルと、
前記第１の外側サイドパネルの第１の端縁部から延びる第１の端部パネルと、
前記第１の端部パネルの頂縁部から延びる第１のガイドパネルであって、前記第１のガイドパネルが、その自由縁部に沿って複数の線形の止め部を備える、第１のガイドパネルと、
を備え、
トレーが前記ブランクから形成される際に、前記立上りパネルが前記底部パネルに対するある傾斜角度で向けられており、傾斜角度が前記第１のガイドパネルのピッチに対応している、
トレーを構築するためのブランク。
【請求項１５】
前記複数の線形の止め部の各々が、製品を受領するように構成され、トレーが前記ブランクから形成される際に、前記複数の線形の止め部と前記立上りパネルとが協同して、各製品を前記底部パネルに対してほぼ平行に保持する、請求項１４に記載のブランク。
【請求項１６】
前記複数の線形の止め部の各々が、製品を受領するように構成され、トレーが前記ブランクから形成される際に、前記複数の線形の止め部と前記立上りパネルとが協同して、各製品をずらされた構成に保持する、請求項１４に記載のブランク。
【請求項１７】
前記第１の外側サイドパネルの第２の端縁部から延びる第２の端部パネルと、
前記第１の端部パネルの頂縁部から延びる第２のガイドパネルであって、トレーが前記ブランクから形成される際に、前記第１のガイドパネルの前記複数の線形の止め部が前記第２のガイドパネルの前記複数の線形の止め部と実質的に整列するように、前記第２のガイドパネルが、その自由縁部に沿う複数の線形の止め部を備える、第２のガイドパネルと、
をさらに備える、請求項１４に記載のブランク。
【請求項１８】
前記第１の外側サイドパネルの頂縁部に結合された内側サイドパネルをさらに備え、前記内側サイドパネルが、前記内側サイドパネルの第１の端縁部と前記第１のガイドパネルとの間に第１の隙間を規定し、それにより、トレーが前記ブランクから構築される際に、前記第１のガイドパネルが内側サイドパネルの前記第１の端縁部と前記第１の端部パネルの内側表面との間の前記第１の隙間に保持されるようになっている、請求項１４に記載のブランク。
【請求項１９】
前記底部パネルとは反対側の、前記立上りパネルに結合された第２の外側端部パネルをさらに備え、トレーが前記ブランクから構築される際に、前記第２の外側端部パネルが前記立上りパネルを傾斜角度に維持する、請求項１４に記載のブランク。
【請求項２０】
第１の端壁と、
前記第１の端壁の側縁部から延びる第１の側壁と、
前記第１の側壁の底縁部から延びる底壁と、
前記底壁からある傾斜角度で延びる立上り部と、
前記第１の端壁と対面する関係で結合された第１のガイドパネルであって、前記第１のガイドパネルが、その自由縁部に沿って複数の線形の止め部を備える、第１のガイドパネルと、
を備え、
前記立上り部の傾斜角度が前記第１のガイドパネルのピッチに対応している、
トレー。
【請求項２１】
前記複数の線形の止め部が、製品を受領するように構成され、前記立上り部と、前記第１のガイドパネルの前記複数の線形の止め部の少なくとも１つとが、前記底壁に対してほぼ平行にずらされた構成でトレーの各製品を保持するように協同する、請求項２０に記載のトレー。
【請求項２２】
第２の、反対側の端壁と、
前記第２の端壁と対面する関係で結合した第２のガイドパネルであって、前記第２のガイドパネルが、その自由縁部に沿って複数の線形の止め部を備え、前記第１のガイドパネルの前記複数の線形の止め部が前記第２のガイドパネルの前記複数の線形の止め部と実質的に整列する、第２のガイドパネルと、
をさらに備える、請求項２０に記載のトレー。
【請求項２３】
前記第１の側壁の内側パネルが、前記内側パネルの第１の端縁部と、前記第１の端壁の内側表面との間に隙間を規定し、前記第１のガイドパネルが前記隙間に保持される、請求項２０に記載のトレー。
【請求項２４】
前記底壁とは反対側に前記立上り部から延びる、第２の、反対側の側壁をさらに備え、前記第２の側壁が前記立上り部を傾斜角度に維持する、請求項２０に記載のトレー。
【請求項２５】
ブランクからトレーを形成する方法であって、ブランクが、概して平行な複数の折曲げ線に沿ってともに結合した複数のパネルを含み、複数のパネルが、第１の外側サイドパネルと、底部パネルと、立上りパネルと、を含み、ブランクが、第１の外側サイドパネルの第１の端縁部から延びる第１の端部パネルと、第１の端部パネルの頂縁部から延びる第１のガイドパネルとをさらに含み、第１のガイドパネルが、その自由縁部に沿って複数の線形の止め部を含み、
第１の外側サイドパネルを、底部パネルに対してほぼ垂直な関係になるように回転させるステップと、
第１のガイドパネルを、第１の端部パネルと対面する関係になるように回転させるステップと、
第１の端部パネルを、第１の外側サイドパネルに対してほぼ垂直な関係になるように回転させるステップと、
立上りパネルを折曲げ線周りに回転させて、立上りパネルを底部パネルに対するある傾斜角度に位置決めするステップであって、立上りパネルの傾斜角度が、第１のガイドパネルのピッチに対応する、ステップと、
を含む、ブランクからトレーを形成するための方法。
【請求項２６】
ブランクが、第１の端部パネルとは反対側の、第１の外側サイドパネルの第２の縁部から延びる第２の端部パネルと、第２の端部パネルの頂縁部から延びる第２のガイドパネルとをさらに含み、第２のガイドパネルが、その自由縁部に沿って複数の線形の止め部を含み、
第２のガイドパネルを、第２の端部パネルと対面する関係になるように回転させるステップと、
第１のガイドパネルの複数の線形の止め部が第２のガイドパネルの複数の線形の止め部と実質的に整列するように、第２の端部パネルを、第１の外側サイドパネルに対してほぼ垂直な関係になるように回転させるステップと、
をさらに含む、請求項２５に記載の方法。
【請求項２７】
複数のブランクが、底部パネルとは反対側の、第１の外側サイドパネルの頂縁部から延びる内側サイドパネルをさらに含み、前記方法が、内側サイドパネルを第１の外側サイドパネルと対面する関係になるように回転させることをさらに含み、内側サイドパネルが、内側サイドパネルの第１の端縁部と第１の端部パネルの内側表面との間の隙間を規定し、前記回転により、第１のガイドパネルが隙間内に保持される、請求項２５に記載の方法。
【請求項２８】
複数のブランクが、底部パネルとは反対側の、立上りパネルから延びる第２の外側サイドパネルをさらに含み、
第２の外側サイドパネルを、底部パネルに対してほぼ垂直な関係になるように回転させるステップであって、前記回転が、立上りパネルを傾斜角度に位置決めする、ステップと、
第１の端部パネルを第２の外側サイドパネルに固定するステップと、
をさらに含む、請求項２５に記載の方法。
【請求項２９】
薬剤のパッケージングおよび分配システムであって、
内部に薬剤を包含する第１の薬剤ブックレットであって、前記第１の薬剤ブックレットが、
頂壁であって、
複数のプルタブを備えた連続したタブアセンブリを備えた外側パネルと、
前記外側パネルと対面する関係で結合した内側パネルであって、前記内側パネルが、内部に規定された複数の前方切抜きを備え、前記複数のプルタブの各プルタブが、前記複数の前方抜きの関連する前方切抜きと実質的に整列している、内側パネルと、
を備えた頂壁、ならびに、
内部に規定された複数の後方切抜きを備えた、反対側の底壁であって、前記複数のプルタブの各プルタブが、さらに、前記複数の後方切抜きの関連する後方切抜きと実質的に整列して、この後方切抜きを通しての薬剤の分配を促す、底壁、
を備えた、第１の薬剤ブックレットと、
内部に薬剤を包含する第２の薬剤ブックレットと、
内部に前記第１の薬剤ブックレットおよび第２の薬剤ブックレットを保持するように構成されたトレーであって、前記トレーが、
第１の端壁と、
前記第１の端壁の側縁部から延びる第１の側壁と、
前記第１の側壁の底縁部から延びる底壁と、
前記底壁からある傾斜角度で延びる立上り部と、
前記第１の端壁と対面した関係で結合された第１のガイドパネルであって、前記第１のガイドパネルが、その自由縁部に沿って複数の線形の止め部を備える、第１のガイドパネルと、を備え、
前記立上り部と、前記第１のガイドパネルの前記複数の線形の止め部の少なくとも１つとが協同して、前記第２の薬剤ブックレットに対してずらされた構成に前記第１の薬剤ブックレットを維持する、
トレーと、を備えた、薬剤のパッケージングおよび分配システム。
【請求項３０】
内部にトレーを保持するための容器をさらに備え、前記容器が、
頂壁と、
前記頂壁と対面した関係にある内側頂壁であって、前記内側頂壁が、前記容器によって画定されたキャビティを覆い、前記第１の薬剤ブックレットと第２の薬剤ブックレットとを同時に通して見やすいように構成された窓の開口を備えた、内側頂壁と、を備える、請求項２９に記載の薬剤のパッケージングおよび分配システム。
【請求項３１】
前記容器の前記内側頂壁が、指導的資料を内部に保持するように協同するコーナアンカとコーナキャッチとをさらに備え、指導的資料が、前記第１の薬剤ブックレットおよび第２の薬剤ブックレットに包含された薬剤に関連する、請求項３０に記載の薬剤のパッケージングおよび分配システム。
【発明の詳細な説明】
【技術分野】
【０００１】
関連出願の相互参照
本出願は、２０１５年１０月１９日に出願された、米国仮特許出願第６２／２４３，４３６号の優先権の利益を主張する。この文献の内容および開示全体は、本明細書により、その全体が、本明細書で参照することによって組み込まれる。
【背景技術】
【０００２】
開示の主題は、パッケージングに関し、より詳細には、薬剤のパッケージングおよび分配のためのシステムに関する。このシステムは、向上されたコンプライアンスの特徴を有している。
【０００３】
薬剤容器は、チャイルドレジスタンス、および、ユーザ、特に高齢者によるアクセスの容易性を含む、多くの考慮事項を念頭において設計されている。これらは、相反する考慮事項である場合がある。少なくともいくつかの既知の薬剤は、ブリスターカードおよび／または板紙容器内にパッケージングされている。これら容器は、チャイルドレジスタンスの特性としてロックする、キャップを伴う薬用ボトルよりも便利である場合がある。薬剤パッケージが、薬剤への望ましくないアクセスを防止するための、さらなるチャイルドレジスタンスの特性を伴う板紙容器の利便性を有することが、望ましい。
【発明の概要】
【発明が解決しようとする課題】
【０００４】
さらに、医療提供者が特定の順番で摂取することを要求する場合がある薬剤などの、特定の、厳密であるか、複雑なコンプライアンスの要請を伴う薬剤をパッケージングする場合、さらなる考慮事項が存在する。パッケージングは、安全性の警告を提供するか、指導的資料を含む場合があるが、これらは、意識的または無意識的に、容易に無視され得る。したがって、薬剤パッケージが、コンプライアンスの要請を、より明確および／またはユーザが避けることがより困難であるようにすることが、望ましい。
【課題を解決するための手段】
【０００５】
一態様では、薬剤ブックレットを構築するためのブランクが提供される。本ブランクは、複数の折曲げ線に沿ってともに結合した複数のパネルを含んでいる。複数のパネルには、内部に規定された複数の前方切抜きを含む内側フロントパネル、複数のプルタブを含む連続したタブアセンブリを含む外側フロントパネル、および、内部に規定された複数の後方切抜きを含むバックパネルが含まれる。複数のプルタブの各プルタブは、薬剤ブックレットがブランクから形成される際に、複数の前方切抜きの関連する前方切抜き、および、複数の後方切抜きの関連する後方切抜きと実質的に整列している。
【０００６】
別の態様では、頂壁と、反対側の底壁とを含む、薬剤ブックレットが提供される。頂壁は、連続したタブアセンブリを含む外側パネルを含み、連続したタブアセンブリは複数のプルタブと、外側パネルと対面する関係で結合した内側パネルであって、内側パネルが、内部に規定された複数の前方切抜きを含む、内側パネルと、を含んでいる。複数のプルタブの各プルタブは、複数の前方切抜きの関連する前方切抜きと実質的に整列している。底壁は、内部に規定された複数の後方切抜きを含み、複数のプルタブの各プルタブが、さらに、前記複数の後方切抜きの関連する後方切抜きと実質的に整列している。
【０００７】
さらなる態様では、ブランクから薬剤ブックレットを形成するための方法が提供される。本ブランクは、複数の折曲げ線に沿ってともに結合した複数のパネルを含んでいる。複数のパネルは、内部に規定された複数の前方切抜きを含む内側フロントパネル、複数のプルタブを含む連続したタブアセンブリを含む外側フロントパネル、第１のサイドパネル、および、内部に規定された複数の後方切抜きを含むバックパネルを含んでいる。本方法は、連続したタブアセンブリの各プルタブが、複数の前方切抜きの関連する前方切抜きと実質的に整列するように、内側フロントパネルを折曲げ線周りに、外側フロントパネルと対面する関係になるように回転させることを含んでいる。本方法はさらに、第１のサイドパネルを折曲げ線周りに、バックパネルに対してほぼ垂直な関係になるように回転させるステップと、前方切抜きの各々が、複数の後方切抜きの関連する後方切抜きと実質的に整列するように、外側フロントパネルを折曲げ線周りに、バックパネルに対してほぼ平行な関係になるように回転させるステップと、を含んでいる。
【０００８】
さらに別の態様では、トレーを構築するためのブランクが提供される。本ブランクは、概して平行な複数の折曲げ線に沿ってともに結合した複数のパネルを含んでいる。複数のパネルには、第１の外側サイドパネル、底部パネル、および立上りパネルが含まれる。ブランクは、第１の外側サイドパネルの第１の端縁部から延びる第１の端部パネル、および、第１の端部パネルの頂縁部から延びる第１のガイドパネルをさらに含み、第１のガイドパネルが、その自由縁部に沿って複数の線形の止め部を含んでいる。トレーがブランクから形成される際に、立上りパネルは、底部パネルに対するある傾斜角度で向けられており、傾斜角度が第１のガイドパネルのピッチに対応している。
【０００９】
別の態様では、トレーが提供される。このトレーは、第１の端壁と、第１の端壁の側縁部から延びる第１の側壁と、第１の側壁の底縁部から延びる底壁と、底壁からある傾斜角度で延びる立上り部と、第１の端壁と対面する関係で結合した第１のガイドパネルとを含んでいる。第１のガイドパネルは、その自由縁部に沿って複数の線形の止め部を含んでいる。立上り部の傾斜角度は、第１のガイドパネルの自由縁部のピッチに対応し、それにより、立上り部と、第１のガイドパネルの複数の線形の止め部の少なくとも１つとが協同して、トレーの内容物を底壁に対してほぼ平行に向けるようになっている。
【００１０】
さらなる態様では、ブランクからトレーを形成するための方法が提供される。本ブランクは、概して平行な複数の折曲げ線に沿ってともに結合した複数のパネルを含んでいる。複数のパネルには、第１の外側サイドパネル、底部パネル、および立上りパネルが含まれている。ブランクは、第１の外側サイドパネルの第１の端縁部から延びる第１の端部パネル、および、第１の端部パネルの頂縁部から延びる第１のガイドパネルをさらに含み、第１のガイドパネルが、その自由縁部に沿って複数の線形の止め部を含んでいる。本方法は、第１の外側サイドパネルを、底部パネルに対してほぼ垂直な関係になるように回転させるステップと、第１のガイドパネルを、第１の端部パネルと対面する関係になるように回転させるステップと、第１の端部パネルを、第１の外側サイドパネルに対してほぼ垂直な関係になるように回転させるステップと、を含んでいる。本方法は、立上りパネルを折曲げ線周りに回転させて、立上りパネルを底部パネルに対するある傾斜角度に位置決めすることであって、立上りパネルの傾斜角度が、第１のガイドパネルのピッチに対応する、回転させることをさらに含んでいる。
【００１１】
さらに別の態様では、薬剤のパッケージングおよび分配システムが提供される。本システムは、内部に薬剤を包含する第１の薬剤ブックレット、内部に薬剤を包含する第２の薬剤ブックレット、ならびに、第１の薬剤ブックレットおよび第２の薬剤ブックレットを保持するように構成されたトレーと、を含んでいる。第１の薬剤ブックレットは、頂壁と、反対側の底壁とを含んでいる。第１の薬剤ブックレットの頂壁は、複数のプルタブを含む連続したタブアセンブリを含む外側パネル、および、外側パネルと対面する関係で結合した内側パネルを含んでいる。内側パネルは、内部に規定された複数の前方切抜きを含み、複数のプルタブの各プルタブは、複数の前方抜きの関連する前方切抜きと実質的に整列している。底壁は、内部に規定された複数の後方切抜きを含み、複数のプルタブの各プルタブが、さらに、複数の後方切抜きの関連する後方切抜きと実質的に整列して、この後方切抜きを通しての薬剤の分配を促す。トレーは、第１の端壁と、第１の端壁の側縁部から延びる第１の側壁と、第１の側壁の底縁部から延びる底壁と、底壁からある傾斜角度で延びる立上り部と、第１の端壁と対面する関係で結合した第１のガイドパネルとを含んでいる。第１のガイドパネルは、その自由縁部に沿って複数の線形の止め部を含んでいる。立上り部と、第１のガイドパネルの複数の線形の止め部の少なくとも１つとは、協同して、前記第２の薬剤ブックレットに対してずらされた構成に第１の薬剤ブックレットを維持する。
【００１２】
図１から図２９は、本明細書に説明される方法およびシステムの例示的実施形態を示している。
【図面の簡単な説明】
【００１３】
【図１】図２４から図２９に示す薬剤のパッケージングおよび分配システムで使用するための、薬剤ブックレットを形成するためのブランクの第１の例示的実施形態の頂部平面図である。
【図２】図２４から図２９に示す薬剤のパッケージングおよび分配システムで使用するための、薬剤ブックレットを形成するためのブランクの第２の例示的実施形態の頂部平面図である。
【図３】図２４から図２９に示す薬剤のパッケージングおよび分配システムで使用するための、薬剤ブックレットを形成するためのブランクの第３の例示的実施形態の頂部平面図である。
【図４】図２４から図２９に示す薬剤のパッケージングおよび分配システムで使用するための、薬剤ブックレットを形成するためのブランクの第４の例示的実施形態の頂部平面図である。
【図５】図２４から図２９に示す薬剤のパッケージングおよび分配システムで使用するためのパックの第１の例示的実施形態の斜視図である。
【図６】図２４から図２９に示す薬剤のパッケージングおよび分配システムで使用するためのパックの第２の例示的実施形態の斜視図である。
【図７】図５に示すパックに接着された薬剤のブリスターカードの例示的実施形態の第１の表面の斜視図である。
【図８】図７に示す薬剤のブリスターカードの第２の表面の斜視図である。
【図９】図１に示すブランクを使用しての、図１１から図１４に示す薬剤ブックレット、ならびに、図７および図８に示すパックおよび薬剤のブリスターカードの、第１の実施形態の形成を示す斜視図である。
【図１０Ａ】図１に示すブランクを使用しての、図１１から図１４に示す薬剤ブックレット、ならびに、図７および図８に示すパックおよび薬剤のブリスターカードの、第１の実施形態の形成を示す斜視図である。
【図１０Ｂ】図１に示すブランクの代替的実施形態を使用しての、図１１から図１４に示す薬剤ブックレット、ならびに、図７および図８に示すパックおよび薬剤のブリスターカードの、代替的実施形態の形成を示す斜視図である。
【図１１】図２４から図２９に示す薬剤のパッケージングおよび分配システムで使用するための、薬剤ブックレットの第１の例示的実施形態の上面図である。
【図１２】図１１に示す薬剤ブックレットの底面図である。
【図１３】図１１および図１２に示す、開いた構成の薬剤ブックレットの斜視図である。
【図１４】連続したタブアセンブリを示す、図１１から図１３に示された、薬剤ブックレットの拡大図である。
【図１５Ａ】図２４から図２９に示す薬剤のパッケージングおよび分配システムで使用するための、薬剤ブックレットの第２の例示的実施形態の上面図である。
【図１５Ｂ】図１５Ａに示す薬剤ブックレットの底面図である。
【図１６Ａ】図２４から図２９に示す薬剤のパッケージングおよび分配システムで使用するための、薬剤ブックレットの第３の例示的実施形態の上面図である。
【図１６Ｂ】図１６Ａに示す薬剤ブックレットの底面図である。
【図１７Ａ】図２４から図２９に示す薬剤のパッケージングおよび分配システムで使用するための、薬剤ブックレットの第４の例示的実施形態の上面図である。
【図１７Ｂ】図１７Ａに示す薬剤ブックレットの底面図である。
【図１８】図２４から図２９に示す薬剤のパッケージングおよび分配システムで使用するためのトレーを構築するためのブランクの頂部平面図である。
【図１９】図１８に示すブランクから形成されたトレーの斜視図である。
【図２０】図２４から図２９に示す薬剤のパッケージングおよび分配システムで使用するための、容器を形成するためのブランクの例示的実施形態の頂部平面図である。
【図２１】図２０に示すブランクから形成された容器の斜視図である。
【図２２】図２１に示す、中間の開いた構成の容器の斜視図である。
【図２３】図２１および図２２に示す、完全に開いた構成の容器の斜視図である。
【図２４】図１１から図１７Ｂに示す薬剤ブックレット、図１９に示すトレー、および図２１から図２３に示す容器を含む、薬剤のパッケージングおよび分配システムの斜視図である。
【図２５】「完全」であるか「完結した」薬剤のパッケージングおよび分配システムを示す、図２４に示した完全に開いた構成の薬剤のパッケージングおよび分配システムの第１の図である。
【図２６】「空」の薬剤のパッケージングおよび分配システムを示す、図２４および図２５に示した完全に開いた構成の薬剤のパッケージングおよび分配システムの第２の図である。
【図２７】「第１のパッケージング段階」または「最後の分配段階」を示す、図２４から図２６に示した完全に開いた構成の薬剤のパッケージングおよび分配システムの第３の図である。
【図２８】「中間のパッケージング段階」または「中間の分配段階」を示す、図２４から図２７に示した完全に開いた構成の薬剤のパッケージングおよび分配システムの第４の図である。
【図２９】別の「中間のパッケージング段階」または「中間の分配段階」を示す、図２４から図２８に示した完全に開いた構成の薬剤のパッケージングおよび分配システムの第５の図である。図中の同様の参照符号は、同じであるか機能的に類似の構成要素を示している。
【発明を実施するための形態】
【００１４】
以下の詳細な説明は、例として、限定ではなく、本開示を説明している。この説明は、当業者が、本開示を形成および使用することを明確に可能にしており、現在のところ、本開示を実施するベストモードであると考えられるものを含む、本開示のいくつかの実施形態、適用形態、変形形態、代替形態、および、使用を説明している。
【００１５】
本明細書に説明されている実施形態は、薬剤をパッケージングおよび分配するためのシステムを提供している。本システムは、シート材料の第１のブランクから形成された容器と、シート材料の第２のブランクから形成されたトレーとを含んでいる。本システムは、内部に薬剤を含む、１つまたは複数のカートン、すなわち「ブックレット」をも含んでいる。各ブックレットは、シート材料の単一のブランク、パック、およびブリスターカードから形成されている。容器、トレー、およびブックレット（複数の場合もある）を構築する方法も提供されている。容器、トレー、およびブックレット（複数の場合もある）のいずれかまたはすべては、機械を使用して、かつ／または手で構築され得る。
【００１６】
例示的実施形態では、本システムは、厳格なユーザの忠実性を要求する、所定の処方計画を伴うユーザのコンプライアンスを向上させるように構成されている。たとえば、処方計画は、最初の投与量のレベルから「維持」の投与量のレベルに、所定の薬剤に対するユーザの耐薬性を構築するように設計されている場合がある。各薬剤ブックレットには、この「耐薬性構築」の処方計画の間の特定の期間に関する、投与量の薬剤が含まれている。例示的実施形態では、各薬剤ブックレットは、１週間分の量の薬剤の投与量を含むか、各ブックレットに７つの、日々の投与量を含むように設計されている。トレーは、４つの薬剤ブックレットを内部に保持するように構成されており、各々が、投与量が増大する薬剤を含んでいる。たとえば、第１週のブックレットは、２０ミリグラム（ｍｇ）の投与量を含み得、第２週のブックレットは、５０ｍｇの投与量を含み得、第３週のブックレットは１００ｍｇの投与量を含み得、第４週のブックレットは、２００ｍｇの投与量を含み得る。それとして、ブックレットは、様々なサイズおよび／または異なる形状を有する、薬剤の投与量を含む場合がある。いくつかの実施形態では、本明細書に開示の薬剤ブックレットの薬剤は、任意の適切なサイズ、形状、および／または色を有し得、任意の適切な作用物質（複数の場合もある）を含み得、また、様々な不調／病気を処置するために使用され得る。トレーの設計は、明確に連続した構成に薬剤ブックレットを表示することにより、薬剤を摂取することの、ユーザのコンプライアンスを向上させるように構成されている。さらに、各薬剤ブックレットは、ユーザが適切な日々の投薬量を各日に摂取することを確実にするように構成された、向上されたコンプライアンスの特徴を含んでいる。
【００１７】
一実施形態では、容器を構築するための第１のブランク、および、ブックレット（複数の場合もある）を構築するためのブランク（複数の場合もある）は、板紙材料から形成されている。しかし、第１のブランク、および／または、ブックレット（複数の場合もある）を構築するための任意のブランク（複数の場合もある）は、任意の適切な材料を使用して製造され得、したがって、特定のタイプの材料に限定されない。ブランクを製造するのに使用される材料は、薬剤を保護および維持するために、湿潤レベルを維持するように構成されている場合がある。代替的実施形態では、これらブランクのいずれかは、ボール紙、波状ボール紙、プラスチック、繊維板、発泡スチロール板、波状紙、および／または、当業者に既知であり、本明細書に提供される教示によってガイドされる任意の適切な材料を使用して形成される。
【００１８】
一実施形態では、トレーを構築するための第２のブランクは、波状ボール紙材料から形成されている。しかし、ブランクは、任意の適切な材料を使用して製造され得、したがって、特定のタイプの材料に限定されない。代替的実施形態では、ブランクは、ボール紙、プラスチック、繊維板、板紙、発泡スチロール板、波状紙、および／または、当業者に既知であり、本明細書に提供される教示によってガイドされる任意の適切な材料を使用して形成される。
【００１９】
一実施形態では、容器、トレー、および／またはブックレット（複数の場合もある）を構築するためのブランク（複数の場合もある）のいずれかまたはすべては、限定ではないが、製品、製品の製造業者、および／または製品の販売者を知らせる印を含む、少なくとも１つのマーキングを上部に含んでいる。たとえば、マーキングは、製品名を示し、製品を簡単に説明する、プリントされたテキスト、ロゴ、および／もしくは色の配列、製品の製造業者および／もしくは販売者を示すロゴおよび／もしくは商標、注意を集めるデザインおよび／もしくは装飾、警告および／または安全性のラベル、使用に関する指示、ならびに／または任意の他の印を含み得る。本明細書で使用される、「プリント（Ｐｒｉｎｔｉｎｇ）」、「プリントされている、プリントされた（ｐｒｉｎｔｅｄ）」、および／または、「プリント（ｐｒｉｎｔ）」の任意の他の形態には、限定ではないが、インクジェット印刷、レーザ印刷、多次元印刷（たとえば、３Ｄ印刷）、スクリーン印刷、ｇｉｃｌｅｅ、ペンおよびインク、ペイント、オフセット平版印刷、フレキソ印刷、凸版印刷、輪転グラビア印刷、染料転写法、ならびに／または、当業者に既知であり、本明細書に提供される教示によってガイドされる任意の適切な印刷技術が含まれ得る。いくつかの実施形態では、ブランク（複数の場合もある）のいずれかまたはすべては、薬剤に関する情報（たとえば、副作用、処方者および／もしくは薬剤製造業者の問合せ先情報、成分、ならびに／または他の情報）を、識別、追跡、ならびに／または、送信および／もしくは受信することをシステムのユーザに許容するように構成された、１つまたは複数の特徴を含み得る。情報を、識別、追跡、ならびに／または、システムのユーザが送信および／もしくは受信することを許容するように構成された特徴の例には、スキャン可能なイメージ（たとえば、バーコード、クイックレスポンス（ＱＲ）コード）、無線周波数識別（ＲＦＩＤ）タグ、ウェブサイトのアドレス、電話番号、および／または任意の他の適切な特徴（複数の場合もある）が含まれ得る。これら特徴は、薬剤の処方計画をユーザがよりよく理解することを可能にし得、また、やはり、医療提供者が固守およびコンプライアンスの情報にアクセスすることを可能にし得る。固守およびコンプライアンスの情報は、電子的に受領されるとともに、分類に関する関連する患者のプライバシの規定に関して貯蔵され得、かつ、たとえば、患者の集団に関する、用途、固守、および／またはコンプライアンスのデータを判定するために、後の取り出しおよび処理のために、類似のデータを有する患者とともに貯蔵され得る。別の実施形態では、ブランクには、限定ではないが、製品、製品の製造業者、および／または製品の販売者を知らせる印などの、マーキングが欠けている。
【００２０】
図１は、（図１１から図１４に示す）薬剤ブックレット８００を形成するためのブランク１００の第１の例示的実施形態の頂部平面図である。（たとえば、図２４から図２９に示すような）薬剤のパッケージングおよび分配システム２０００の例示的実施形態では、ブランク１００は、薬剤の投与量の第１のセットを含む、薬剤ブックレット８００を形成する。薬剤ブックレット８００は、本明細書に説明されているように、特定の期間（例示的実施形態では、１週間）にわたって摂取されるように要求および／または指示された処方薬を含むように構成されている。ブランク１００は、第１の表面または内側表面１０２と、反対側の第２の表面または外側表面１０４とを有している。さらに、ブランク１００は、第１の縁部または前縁部１０６と、反対側の第２の縁部または後縁部１０８とを規定している。図示の実施形態では、ブランク１００は、前縁部１０６から後縁部１０８に、内側フロントパネル１１０、外側フロントパネル１１２、第１のサイドパネル１１４、バックパネル１１６、第２のサイドパネル１１８、フロント接着剤パネル１２０、カバーパネル１２２、およびサイド接着剤パネル１２４を含んでいる。各パネル１１０、１１２、１１４、１１６、１１８、１２０、１２２、および１２４は、概して平行な複数の折曲げ線１２６、１２８、１３０、１３２、１３４、１３６、および１３８によってともに結合されている。より具体的には、内側フロントパネル１１０は前縁部１０６から折曲げ線１２６に延び、外側フロントパネル１１２は折曲げ線１２６から延び、第１のサイドパネル１１４は折曲げ線１２８から延び、バックパネル１１６は折曲げ線１３０から延び、第２のサイドパネル１１８は折曲げ線１３２から延び、フロント接着剤パネル１２０は折曲げ線１３４から延び、カバーパネル１２２は折曲げ線１３６から延び、サイド接着剤パネル１２４は折曲げ線１３８から後縁部１０８に延びている。折曲げ線１２６、１２８、１３０、１３２、１３４、１３６、および１３８、ならびに、本明細書に説明されている他の折曲げ線および／またはヒンジ線には、当業者に既知であり、本明細書に提供される教示によってガイドされる、任意の適切な弱化線および／または分離線が含まれ得る。具体的には、図示の実施形態では、折曲げ線１３６は、目打ち線、スコア線、またはカットラインなどの弱化線１３６Ａとして、少なくとも部分的に形成されており、ブランク１００から形成されたブックレット８００を開くように、目打ち線１３６Ａに沿ってカバーパネル１２２をフロント接着剤パネル１２０から除去するか結合解除することを可能にしている。
【００２１】
図示の実施形態では、内側フロントパネル１１０は、複数の前方切抜き１４０を含んでいる。各前方切抜き１４０は、前方切抜き１４０の外辺部１４４によって規定されたエリア１４２を含んでいる。図示の実施形態では、前方切抜き１４０は、長さＬ１と幅Ｗ１とを有している。前方切抜き１４０が「スタジアム」形状（たとえば、両側に半円形状を伴う矩形）を有するものとして示されているが、前方切抜き１４０は、ブランク１００および薬剤ブックレット８００が本明細書に説明されているように機能することを可能にする任意の他の適切な形状、たとえば、矩形、丸まった矩形、卵形、楕円形、円形などを有し得る。
【００２２】
いくつかの実施形態では、前方切抜き１４０の１つもしくは複数、または、前方切抜き１４０の「サブセット」が、リマインダタブ１４６を含んでいる。リマインダタブ１４６は、前方切抜き１４０の外辺部１４４の少なくとも一部に沿って延びる目打ち線１４８に沿って、前方切抜き１４０に結合しており、リマインダタブ１４６の前方切抜き１４０からの除去または結合解除を可能にしている。図示の実施形態では、リマインダタブ１４６は、前方切抜き１４０のエリア１４２よりも小である表面エリア１５０を有しており、それにより、前方切抜き１４０が、その内部に規定されたアクセス開口１５２をさらに含むようになっている。アクセス開口１５２のエリア１５４は実質的に、リマインダタブ１４６の表面エリア１５０によって占められていない、前方切抜き１４０のエリア１４２の残りの部分である。アクセス開口１５２は、ブランク１００から形成された薬剤ブックレット８００のユーザに、リマインダタブ１４６の内側表面１０２にアクセスし、リマインダタブ１４６に力を加えることにより、リマインダタブ１４６を前方切抜き１４０から、目打ち線１４８に沿って結合解除することを可能にする。代替的実施形態では、リマインダタブ１４６は、前方切抜き１４０のエリア１４２にほぼ等しい表面エリアを有しており、それにより、リマインダタブ１４６が前方切抜き１４０を実質的に閉じるようになっている。ユーザは、たとえば、ウェッジ（たとえば、指の爪またはツール）を目打ち線１４８内に、リマインダタブ１４６に沿って挿入し、リマインダタブ１４６に力を加えることにより、前方切抜き１４０からリマインダタブ１４６を結合解除し得る。
【００２３】
頂部の前方切抜き１６０は、他方の前方切抜き１４０に対して延長されている。頂部の前方切抜き１６０は、リマインダタブ１４６と、アクセス開口１６２とを含んでいる。アクセス開口１６２は、第１の部分１６４と第２の部分１６６とを含んでいる。第１の部分１６４は、本明細書にさらに説明されている。アクセス開口１６２の第２の部分１６６は、薬剤ブックレット８００のユーザがリマインダタブ１４６を頂部の前方切抜き１６０から結合解除することを可能にするように、上述のアクセス開口１５２と同様に機能するように構成されている。
【００２４】
本明細書にさらに説明するように、各前方切抜き１４０、１６０は、（図７および図８に示す）ブリスターカード７００の薬剤ブリスターモジュール７０８と実質的に整列しており、それにより、薬剤ブックレット８００のユーザが、前方切抜き１４０、１６０を通して薬剤ブリスターモジュール７０８にアクセスできるようになっている。図示の実施形態では、内側フロントパネル１１０は、７回の日々の薬剤の投与量へのアクセスに適応するように、７つの前方切抜き１４０（頂部の前方切抜き１６０を含む）を含んでいる。
【００２５】
内側フロントパネル１１０は、その内部に規定された内側ロッキングスロット１６８をさらに含んでいる。本明細書にさらに説明するように、内側ロッキングスロット１６８は、ブックレット８００がブランク１００から形成された際に、薬剤ブックレット８００を開放可能に閉じるように、カバーパネル１２２の自由縁部上でロッキングタブ１７２を内部に受領するようなサイズおよび形状になっている。さらに、内側ロッキングスロット１６８は、外側フロントパネル１１２内に規定された外側ロッキングスロット１７０と整列しており、それにより、ロッキングタブ１７２が、内側ロッキングスロット１６８と外側ロッキングスロット１７０との両方に受領されて、ブックレット８００を開放可能に閉じるようになっている。
【００２６】
外側フロントパネル１１２は、所定の薬剤処方計画のユーザのコンプライアンスを向上させるように構成された連続したタブアセンブリ１７５を含んでいる。外側フロントパネル１１２は、チャイルドレジスタンスをも向上させ得る。具体的には、連続したタブアセンブリ１７５は、処方計画の薬剤が、所定の順番でアクセスされる（そして、それにより、摂取されるか消費される）ことを確実にするように構成されている。換言すると、ユーザは、ユーザが最初に「現在の投与量」（たとえば、現在の日または現在の時間に摂取するように処方された薬剤の投与量）にアクセスするまで、「将来の投与量」（たとえば、次の日か将来の日、または将来の時間に摂取されるように処方された薬剤の投与量）にアクセスすることが制限され、いくつかのケースでは防止される。連続したタブアセンブリ１７５は、連続したタブアセンブリ１７５の外辺部に沿って延びる目打ち線１７６によって境界が定められている。連続したタブアセンブリ１７５は、連続して配置された複数のプルタブ１８０Ａから１８０Ｇ（集合的に、プルタブ１８０）を含んでおり、プルタブ１８０の各々は、それ自体が、その外辺部に沿って延びる目打ち線１８２によって境界が定められている。プルタブ１８０の各々（図示の実施形態では、最後のプルタブ１８０Ｇを除く）は、グリップ部分１８４およびテール部分１８６を含んでいる。グリップ部分１８４は、ユーザがプルタブ１８０をグリップし、そのプルタブ１８０を外側フロントパネル１１２から除去することを可能にするように構成されている。グリップ部分１８４は、任意の適切な材料（複数の場合もある）を使用して製造され得、また、任意の適切な形状、サイズ、または表面特性を有し得る。たとえば、グリップ部分１８４の各部分は、グリップ部分１８４をグリップするユーザの能力を向上させ得る輪郭、刻み目、および／または粗面を含み得る。テール部分１８６は、隣接する（たとえば、次の）プルタブ１８０のグリップ部分１８４に当接するように構成されている。より具体的には、たとえば、プルタブ１８０Ａのテール部分１８６が、次のプルタブ１８０Ｂのグリップ部分１８４の少なくとも一部分と相補的であるとともに結合し、それにより、プルタブ１８０Ｂのグリップ部分１８４が、プルタブ１８０Ａが連続したタブアセンブリ１７５から除去されるか結合解除されるまで、ユーザに対して制限されるかアクセス不可能であるようになっている。
【００２７】
アクセスフラップ１９０は、連続したタブアセンブリ１７５のプルタブ１８０Ａに隣接して配置されている。より具体的には、アクセスフラップ１９０の第１の端部１９１が、目打ち線１９２に沿って第１のプルタブ１８０Ａのグリップ部分１８４に結合している。アクセスフラップ１９０の、反対側の第２の端部１９３は、折曲げ線１９４に沿って外側フロントパネル１１２に結合している。代替的実施形態では、折曲げ線１９４は、目打ち線１９４である場合がある。薬剤ブックレット８００がブランク１００から形成される場合、アクセスフラップ１９０は、第１の前方切抜き１６０のアクセス開口１６２の第１の部分１６４と整列している。ユーザは、アクセスフラップ１９０をアクセス開口１６２の第１の部分１６４内に押し込み、アクセスフラップ１９０を、目打ち線１９２に沿って第１のプルタブ１８０Ａのグリップ部分１８４から結合解除する。アクセスフラップ１９０は、アクセス開口１６２内に移動する。アクセスフラップ１９０は、折曲げ線１９４周りに回転する。ユーザは次いで、第１のプルタブ１８０Ａのグリップ部分１８４にアクセスし、グリップ部分１８４と係合し、かつ、グリップ部分１８４に引張力を加えることにより、第１のプルタブ１８０Ａを連続したタブアセンブリ１７５から、第１のプルタブ１８０Ａの外辺部に沿って延びる目打ち線１８２に沿って結合解除する。第１のプルタブ１８０Ａが除去される際に、次のプルタブ１８０Ｂのグリップ部分１８４が露出し、次の除去のために、ユーザに対しアクセス可能になる。
【００２８】
図示の実施形態では、薬剤ブックレット８００がブランク１００から形成される際に、各プルタブ１８０は、前方切抜き１４０の１つと実質的に整列している。したがって、プルタブ１８０の除去により、前方切抜き１４０の１つがユーザに対して露出する。例示的実施形態では、連続したタブアセンブリ１７５は、７回の日々の薬剤の投与量へのアクセスに適応するように、７つのプルタブ１８０を含んでいる。第７、すなわち最後のプルタブ１８０Ｇは、プルタブ１８０Ｇがアクセスを防止するさらなるプルタブ１８０が存在しないことから、テール部分１８６を含んでいない。したがって、美観上のアピールおよび／または製造の複雑さの低減のために、プルタブ１８０Ｇは、テール部分１８６を含んでおらず、それにより、連続したタブアセンブリ１７５が、ほぼ矩形の構成を有するようになっている。他の実施形態では、連続したタブアセンブリ１７５は、規則的（たとえば、良好に規定された形状）または不規則的であり、ブランク１００および／またはブックレット８００が本明細書に説明されているように機能することを可能にする代替的構成を有している。
【００２９】
ブランク１００のバックパネル１１６は、複数の後方切抜き２１０を含んでいる。後方切抜き２１０は、長さＬ２と幅Ｗ２とを有している。図示の実施形態では、薬剤ブックレット８００がブランク１００から形成される場合、各後方切抜き２１０は、前方切抜き１４０の１つと実質的に整列している。より具体的には、本明細書にさらに説明するように、各後方切抜き２１０は、（図７および図８に示す）薬剤ブリスターモジュール７０８と実質的に整列しており、それにより、薬剤ブリスターモジュール７０８に包含された薬剤７０１が、後方切抜き２１０を通してユーザに分配されるようになっている。したがって、Ｌ２およびＷ２は、薬剤ブリスターモジュール７０８内に薬剤７０１を適切に収容するようなサイズであることが可能である。
【００３０】
図示の実施形態では、フロント接着剤パネル１２０は、折曲げ線１３６を含み、縁部２２２に沿って、フロント接着剤パネル１２０内に規定されたアクセス用切抜き２２０を含んでいる。アクセス用切抜き２２０は、少なくとも部分的に両側の目打ち線１３６Ｂによって規定されている。これら目打ち線１３６Ｂは、目打ち線１３６Ａからフロント接着剤パネル１２０内に延びている。アクセス用切抜き２２０は、カバーパネル１２２からアクセス用切抜き２２０内に延びるロッキングタブ１７２によって少なくとも部分的にカバーされるか占められるエリアを有している。ブックレット８００がブランク１００から形成される際に、アクセス用切抜き２２０により、ユーザが内側表面１０２および／またはロッキングタブ１７２の自由縁部２２４にアクセスし、その上に力を加えて、ロッキングタブ１７２をアクセス用切抜き２２０から目打ち線１３６Ｂに沿って結合解除することを可能にしている。
【００３１】
ブランク１００は、複数の端部フラップをさらに含んでいる。より具体的には、第１のサイドパネル１１４は、第１のサイドパネル１１４の第１の端縁部２６０から延びる第１の端部フラップ２５０と、反対側の、第１のサイドパネル１１４の第２の端縁部２６２から延びる第２の端部フラップ２５２とを含んでいる。同様に、第２のサイドパネル１１８は、第２のサイドパネル１１８の第１の端縁部２６４から延びる第３の端部フラップ２５４と、反対側の、第２のサイドパネル１１８の第２の端縁部２６６から延びる第４の端部フラップ２５６とを含んでいる。
【００３２】
さらに、バックパネル１１６は、バックパネル１１６の第１の端縁部２８６から延びる第１の内側小端部パネル２７０および第１の内側大端部パネル２７２と、反対側の、バックパネル１１６の第２の端縁部２８８から延びる第２の内側小端部パネル２７４および第２の内側大端部パネル２７６とを含んでいる。外側フロントパネル１１２は、外側フロントパネル１１２の第１の端縁部２９０から延びる第１の外側小端部パネル２７８および第１の外側大端部パネル２８０と、反対側の、外側フロントパネル１１２の第２の端縁部２９２から延びる第２の外側小端部パネル２８２および第２の外側大端部パネル２８４とを含んでいる。外側端部パネル２７８、２８０、２８２、および２８４は、その内部に規定された複数のスコア線またはカットライン２９８を含んでいる。外側端部パネル２７８、２８０、２８２および２８４のこれらスコア線２９８は、ブランク１００から形成される薬剤ブックレット８００のチャイルドレジスタンスを向上させ得る。本明細書にさらに説明するように、ブックレット８００がブランク１００から形成される際に、外側端部パネル２７８、２８０、２８２、および２８４は、内側端部パネル２７０、２７２、２７４、および２７６に接着される（または、別様に固定される）。子供（または任意の他の人）が外側端部パネル２７８、２８０、２８２、および２８４を内側端部パネル２７０、２７２、２７４、および２７６から結合解除して、ブックレット８００の内部にアクセスしようとする場合、スコア線２９８により、子供がいずれの外側端部パネル２７８、２８０、２８２、および２８４をも「１つの断片で」結合解除することが防止される。スコア線２９８が、外側端部パネル２７８、２８０、２８２、または２８４を、各スコア線２９８に沿って複数の部分に「裂かせる」ことから、子供は、外側端部パネル２７８、２８０、２８２、または２８４を徐々にはぎ取らなければならない。
【００３３】
図２は、（図１５Ａおよび図１５Ｂに示す）薬剤ブックレット９００を形成するためのブランク３００の第２の例示的実施形態の頂部平面図である。図１に示すブランク１００の各要素とほぼ同一である、図２に示すブランク３００の各要素は、同じ参照符号を使用して示されている。
【００３４】
（たとえば、図２４から図２９に示すような）薬剤のパッケージングおよび分配システム２０００の例示的実施形態では、ブランク３００は、薬剤の投与量の第２のセットを含む、ブックレット９００を形成する。たとえば、ブックレット９００は、処置の第２週の間に摂取するように処方された薬剤の投与量を包含している。例示的実施形態では、処置の第２週における投与量（「第２週の投与量」）は、処置の第１週における投与量（「第１週の投与量」）よりも大である投与量である。第２週の投与量はこのため、第１週の投与量よりも大（たとえば、より大である丸薬またはカプセル）である場合がある。いくつかの実施形態では、第１週の投与量には、２つの丸薬またはカプセルが含まれており、第２週の投与量には、２つの第１週の丸薬を合わせたよりも多くの投与量を含む１つの丸薬またはカプセルが含まれている。したがって、ブランク３００のバックパネル１１６に含まれる後方切抜き３１０は、後方切抜き３１０を通して分配される、より大である丸薬またはカプセルを収容するように、ブランク１００の後方切抜き２１０の幅Ｗ２よりわずかに大である幅Ｗ３を有し得る。後方切抜き３１０は、ブランク１００の後方切抜き２１０の長さＬ２よりわずかに小である長さＬ３をも有している。単一の第２週の丸薬を包含する単一の薬剤ブリスターモジュールは、第１週の投与量の２つのより小さい丸薬に関する２つの離間したブリスターモジュールより短い長さを必要としている（たとえば、図７に示す薬剤ブリスターモジュール７０８）。後方切抜き３１０が、任意の特定のサイズまたは形状の薬剤投与量を収容するように、任意の長さＬ３（たとえば、Ｌ２以上）、および／または、幅Ｗ３（たとえば、Ｗ２以下）を有し得ることを理解されたい。
【００３５】
さらに、図示の実施形態では、ブランク３００の後方切抜き３１０は、後方切抜き３１０の外辺部に沿って規定された目打ち線３１４に沿って各後方切抜き３１０に結合された押抜きタブ３１２を含んでいる。これら押抜きタブ３１２は、ブランク３００から形成されたブックレット８００のチャイルドレジスタンスを向上させ、ブックレット９００に包含された薬剤ブリスターモジュール７０８に対するさらなるバリアを提供する。特定の実施形態では、ブランク１００が押抜きタブをも含み得ることを理解されたい。追加的または代替的に、ブランク３００は、後方切抜き３１０により少ない押抜きタブ３１２を含むか、押抜きタブ３１２を含まない場合がある。押抜きタブ３１２は、その内側表面１０２に力が加えられると、後方切抜き３１０から結合解除される。
【００３６】
図３は、薬剤ブックレット１０００（図１６Ａおよび図１６Ｂに示す）を形成するためのブランク４００の第３の例示的実施形態の頂部平面図である。図１に示すブランク１００および／または図２に示すブランク３００の各要素とほぼ同一である図３に示すブランク４００の各要素は、同じ参照符号を使用して示されている。
【００３７】
（たとえば、図２４から図２９に示すような）薬剤のパッケージングおよび分配システム２０００の例示的実施形態では、ブランク４００は、薬剤の投与量の第３のセットを含む、ブックレット１０００を形成する。たとえば、ブックレット１０００は、処置の第３週の間に摂取するように処方された薬剤の投与量を包含している。例示的実施形態では、処置の第３週における投与量（「第３週の投与量」）は、第２週の投与量よりも大である投与量である。第３週の投与量はこのため、第２週の投与量よりも大（たとえば、より大である丸薬またはカプセル）である場合がある。したがって、ブランク４００の内側フロントパネル１１０に含まれる前方切抜き４４０は、ブックレット１０００内に包含されたブリスターカードの薬剤ブリスターモジュールのより大である丸薬へのアクセスに順応するように、ブランク１００の前方切抜き１４０の幅Ｗ１よりわずかに大である幅Ｗ４を有している。さらに、前方切抜き４４０の長さＬ４は、ブランク１００の前方切抜き１４０の長さＬ１より大である。さらに、ブランク４００のバックパネル１１６に含まれる後方切抜き４１０は、後方切抜き２１０または後方切抜き３１０を通すよりも、後方切抜き４１０を通して分配される、より大である丸薬を収容するように、後方切抜き２１０および３１０より大である。後方切抜き４１０は、長さＬ５と幅Ｗ５とを有しており、長さＬ５は、後方切抜き２１０の長さＬ３および後方切抜き３１０の長さＬ２より大であり、幅Ｗ５は、後方切抜き２１０の幅Ｗ３および後方切抜き３１０の幅Ｗ２より大である。様々な他の実施形態では、前方切抜き４４０および／または後方切抜き４１０は、代替的なサイズ、形状、および／または構成の薬剤をブックレット１０００内に収容するために、代替的な寸法を有する場合がある。
【００３８】
図４は、（図１７Ａおよび図１７Ｂに示す）薬剤ブックレット１１００を形成するためのブランク５００の第４の例示的実施形態の頂部平面図である。図１から図３に示すブランク１００、３００、および／または４００のいずれかの各要素とほぼ同一である図４に示すブランク５００の各要素は、同じ参照符号を使用して示されている。
【００３９】
（たとえば、図２４から図２９に示すような）薬剤のパッケージングおよび分配システム２０００の例示的実施形態では、ブランク５００は、薬剤の投与量の第４のセットを含む、ブックレット１１００を形成する。たとえば、ブックレット１１００は、処置の第４週の間に摂取するように処方された薬剤の投与量を包含している。例示的実施形態では、処置の第４週における投与量（「第４週の投与量」）は、第３週の投与量よりも大である投与量である。一実施形態では、第４週の投与量は、第３週の投与量の二倍であり、ブリスターカードは、第３週の投与量２つ分が単一の第４週の投与量として含んでいる。したがって、ブランク５００の内側フロントパネル１１０に含まれる前方切抜き５４０は、ブランク４００の前方切抜き４４０の幅Ｗ４にほぼ等しい幅Ｗ６を有しているが、２つの丸薬を収容するように、ブランク４００の前方切抜き４４０の長さＬ４より大である長さＬ６を有している。さらに、ブランク５００のバックパネル１１６に含まれる後方切抜き５１０は、後方切抜き５１０を通して分配される２つの丸薬を収容するように、ブランク４００の後方切抜き４１０より大である。後方切抜き５１０は長さＬ７と幅Ｗ７とを有しており、長さＬ７は後方切抜き４１０の長さＬ５より大であり、幅Ｗ７は後方切抜き４１０の幅Ｗ５より大である。様々な他の実施形態では、前方切抜き５４０および／または後方切抜き５１０は、代替的なサイズ、形状、および／または構成の薬剤をブックレット１１００内に収容するために、代替的な寸法を有する場合がある。
【００４０】
図５から図８を参照すると、図１１から図１７Ｂに示す薬剤ブックレット８００、９００、１０００、および／または１１００とともに使用するために構成された、パックおよびブリスターカードが示されている。より具体的には、図５は、パック６００の第１の例示的実施形態の斜視図であり、図６は、パック６５０の第２の例示的実施形態の斜視図であり、図７は、パック６００に接着された薬剤のブリスターカード７００の例示的実施形態の第１の表面７０２の斜視図であり、図８は、パック６００に接着された、図７に示す薬剤のブリスターカード７００の第２の表面７０４の斜視図である。パック６００、６５０は、薬剤ブックレット８００、９００、１０００、および／または１１００のための剛性のサポートとして作用し、薬剤ブックレットが折り曲げられるか、押しつぶされることを防止し、また、薬剤ブリスターカード７００のハウジングとして機能する。薬剤ブリスターカード７００は、薬剤ブリスターモジュール７０８内において、薬剤７０１を内部に包含している。本明細書にさらに説明するように、薬剤ブリスターカード７００は、パック６００に接着されるか、別様に固定されており、これにより、薬剤ブリスターカード７００を薬剤ブックレット８００、９００、１０００、および／または１１００内で適切な向きに固定し、それにより、薬剤７０１がブックレットから分配され得るようになっている。一実施形態では、パック６００、６５０は、ポリプロピレンなどの剛性プラスチック材料から形成されている。しかし、パック６００、６５０は、当業者に既知であり、本明細書に提供される教示によってガイドされる任意の適切な材料を使用して製造され得、したがって、特定のタイプの材料に限定されない。一実施形態では、薬剤ブリスターカード７００の第１の表面７０２は、半剛性または可撓性のプラスチック材料から形成されている。たとえば、第１の表面７０２は、０．００７５インチのＰＶＣ、０．００２インチのＰＥ、および０．００４インチのＰＣＴＦＥを含む、ＴｅｋｎｉＰｌｅｘ（登録商標）ＶＰＡ７４００から形成され得る（ＴｅｋｎｉＰｌｅｘは、Ｔｅｋｎｉ−Ｐｌｅｘ，Ｉｎｃ．，Ｋｉｎｇ  ｏｆ  Ｐｒｕｓｓｉａ，ＰＡの登録商標である）。薬剤ブリスターカード７００の第１の表面７０２は、内部に規定された複数のウェルまたはモジュール７０６を含んでいる。薬剤ブリスターカード７００の第２の表面７０４は、モジュール７０６をシールするように、第１の表面７０２に対して結合したフォイル材料から形成され得る。たとえば、第２の表面７０４は、連毎に１５ポンドの、機械でつや出しされた、漂白したクラフト紙で裏打ちされた２５ミクロンのアルミニウムフォイルと、４５０６ＨＳＣとを含んでいる、Ａｍｃｏｒ（登録商標）１３０３７から形成され得る（Ａｍｃｏｒは、Ａｍｃｏｒ  Ｌｉｍｉｔｅｄ，Ａｂｂｏｔｓｆｏｒｄ，Ｖｉｃｔｏｒｉａ，Ａｕｓｔｒａｌｉａの登録商標である）。薬剤ブリスターカード７００は、当業者に既知であり、本明細書に提供される教示によってガイドされる任意の適切な材料を使用して製造され得、したがって、特定のタイプの材料に限定されない。
【００４１】
図５を参照すると、図示の実施形態では、パック６００は、後壁６０２と、この後壁６０２からほぼ垂直な関係で延びる複数の側壁とを含んでいる。複数の側壁には、第１の側壁６０４、第２の側壁６０６、第３の側壁６０８、および第４の側壁６１０が含まれている。側壁６０４、６０６、６０８、６１０は、側壁６０４、６０６、６０８、６１０の高さに対応する深さＤ１を有するキャビティ６１２を画定している。図示の実施形態では、キャビティ６１２の深さＤ１は、ブリスターモジュール７０６の高さＨ１（図７に示す）にほぼ等しいかわずかに大であり、それにより、薬剤ブリスターモジュール７０８が、パック６００の側壁６０４、６０６、６０８、６１０の頂縁部６１４に対し、パック６００のキャビティ６１２内に引っ込んでいるようになっている。ブリスターモジュールを、ブリスターカードの第１の（プラスチック）表面において裂いて開くことにより、子供がこれらモジュールの内容物にアクセスできる場合があることから、薬剤ブリスターモジュール７０８を引っ込ませることで、第１の（プラスチック）表面７０２から薬剤ブリスターモジュール７０８の内部へのアクセス（たとえば、薬剤７０１へのアクセス）を実質的に防止することにより、薬剤ブックレット８００、９００、１０００、および／または１１００のチャイルドレジスタンスが向上する。
【００４２】
図７および図８を参照すると、薬剤ブリスターカード７００は、第１の側縁部７１２と、第２の、反対側の側縁部７１４と、第１の端縁部７１６と、第２の、反対側の端縁部７１８とを含んでいる。薬剤ブリスターカード７００は、ほぼ矩形の形状を有しているが、他の実施形態では、薬剤ブリスターカード７００は、薬剤ブリスターカード７００が本明細書に説明されているように機能することを可能にする任意の適切な形状を有し得る。パック６００の後壁６０２も、ほぼ矩形の形状を有し、薬剤ブリスターカード７００の形状と、薬剤ブックレット８００、９００、１０００、および／または１１００の形状との両方に対応している。他の実施形態では、後壁６０２および／またはパック６００は、パック６００ならびに／または薬剤ブックレット８００、９００、１０００、および／もしくは１１００が本明細書に説明されているように機能することを可能にする、任意の適切な形状を有し得る。薬剤ブリスターカード７００の第１の表面７０２は、パック６００の後壁６０２の外側表面に接着されているか、別様に結合されている。例示的実施形態では、薬剤ブリスターカード７００は、パック６００の後壁６０２に、第１の側縁部７１２と第２の側縁部７１４との長さのほぼ全体に沿って配された接着剤で接着されている。したがって、薬剤ブリスターカード７００は、パック６００の後壁６０２に良好に固定されている。このことは、薬剤ブリスターカード７００の不正開封および／またはパック６００からの薬剤ブリスターカード７００の除去を防止することにより、（図２４から図２９に示す）システム２０００のチャイルドレジスタンスを向上させている。一実施形態では、薬剤ブリスターカード７００は、高粘度ホットメルト接着剤を使用してパック６００に接着されている。薬剤ブリスターカード７００は、パック６００に別様に結合され得る（たとえば、後壁６０２の内側表面に結合される）ことを理解されたい。
【００４３】
パック６００の後壁６０２は、内部に規定された複数の切抜き６１６を含んでいる。より具体的には、図示の実施形態では、後壁６０２は、複数の一次切抜き６１８と、複数の二次切抜き６２０とを含んでいる。図７を参照すると、一次切抜き６１８は、薬剤ブリスターモジュール７０８を内部に受領するように構成されている。図示の実施形態では、一次切抜き６１８は、概して矩形であるか、丸まった矩形形状を有している。しかし、代替的実施形態では、一次切抜き６１８は、一次切抜き６１８が薬剤ブリスターモジュール７０８を内部に受領することを可能にする、任意の適切な形状を有し得る。薬剤ブリスターモジュール７０８は、ブリスターカード７００の長手軸７２０に対して整列している。同様に、一次切抜き６１８は、パック６００の長手軸６２２に対して平行に、隣接する一次切抜き６１８に対して整列している。図示の実施形態では、薬剤ブリスターカード７００は、７の投与量、または、１週間分の薬剤の投与量を保持するように構成されている。さらに、日々の投与量の各々は、２つの丸薬７０１を含んでいる。したがって、日々の投与量の各々に関し、２つの別個の薬剤ブリスターモジュール７０８が存在し、それにより、１４の薬剤ブリスターモジュール７０８が、ブリスターカード７００に含まれるようになっている。ブリスターカード７００の他の実施形態、たとえば、次の週の薬剤のためのブリスターカードでは、日々の投与量の各々が、１つの丸薬７０１のみを含む場合があり、それにより、７つの薬剤ブリスターモジュール７０８がブリスターカード７００に含まれるようになっている。様々な実施形態では、追加の、より少ない、または、異なるように構成された薬剤ブリスターモジュール７０８がブリスターカード７００に存在し得、ブリスターカード７００に含まれる薬剤７０１の処方計画に対応している。
【００４４】
二次切抜き６２０は、パック６００の長手軸６２２に平行に、隣接する二次切抜き６２０に対して整列し、パック６００の横幅方向軸６２４に平行に、隣接する一次切抜き６１８に対して整列している。二次切抜き６２０は、ブリスターカード７００の空のブリスターモジュール７１０を受領するように構成されている。図示の実施形態では、二次切抜き６２０は、概して円形形状を有し、空のブリスターモジュール７１０の形状に対応している。代替的実施形態では、二次切抜き６２０は、二次切抜き６２０が空のブリスターモジュール７１０を内部に受領することを可能にする任意の適切な形状を有し得る。さらに、図示の実施形態では、一次切抜き６１８と二次切抜き６２０とは、分けられた別個の切抜きである。代替的な一実施形態では、単一の切抜き６１６が、一次切抜きと二次切抜きとの両方としての役割を果たし、薬剤ブリスターモジュール７０８と空のブリスターモジュール７１０とを内部に受領するようなサイズとされている。別の代替的実施形態では、単一の一次切抜き６１８は、長手方向に隣接した２つの薬剤ブリスターモジュール７０８を内部に受領するようなサイズである場合があり、かつ／または、単一の二次切抜き６２０は、長手方向に隣接する空のブリスターモジュール７１０を内部に受領するようなサイズである場合がある。換言すると、図５に示す切抜き６１６の特定のサイズおよび構成は、切抜き６１６の多くの可能性のあるサイズおよび構成の非限定的例である。
【００４５】
パック６００は、後壁６０２に対してほぼ垂直な関係で後壁６０２から延びる複数の一次サポートリブ６３０をさらに含んでいる。図示の実施形態では、第１の一次サポートリブ６３１は、第１の側壁６０４から反対側の第２の側壁６０６に、パック６００にわたって長手方向に延びている。第２の一次サポートリブ６３２および第３の一次サポートリブ６３３は、パック６００の第３の側壁６０８から第１の一次サポートリブ６３１に横幅方向に延びている。サポートリブ６３０は、剛性および構造的安定性をパック６００、そしてひいては、パック６００を包含する薬剤ブックレット８００、９００、１０００、および／または１１００に与えるように構成されている。図示の実施形態では、第１の側壁６０４および第２の側壁６０６は、補強された側壁である。補強された側壁６０４、６０６の各々は、それぞれの補強された側壁６０４、６０６の内側面６３６と外側面６３８との間に延びる二次サポートリブ６３４を含んでおり、パック６００が折り曲げられるかつぶれることを防止するように、パック６００の構造的安定性をさらに増大させている。
【００４６】
第２の例示的実施形態のパック６５０を参照すると、図５に示すパック６００の各要素とほぼ同一である図６に示すパック６５０の各要素は、同じ参照符号を使用して示されている。図示の実施形態では、パック６５０は、別個の一次切抜きおよび二次切抜きを除き、複数の切抜き６１６を含んでいる。パック６５０は、第４週の薬剤ブックレット１１００（図１７Ａおよび図１７Ｂに示す）での使用に適切である場合がある。一実施形態では、第４週の投与量を包含するブリスターカードは、薬剤ブリスターモジュールが、第１週の投与量または第２週の投与量のサイズに比べて大である、２つの第３週の丸薬またはカプセルを収容するようなサイズになっていることから、空のブリスターモジュール７１０を含んでいない。したがって、パック６５０は、第４週の投与量のための薬剤ブリスターモジュールを収容するようなサイズの切抜き６１６のみを含んでいる。いくつかの実施形態では、パック６５０は、第１週、第２週、および／または第３週のブリスターカードのいずれかに関して使用することができ、切抜き６１６は、薬剤ブリスターモジュール７０８および、横幅方向に隣接する２つの空のブリスターモジュール７１０を内部に受領するようなサイズになっている。
【００４７】
図９および図１０Ａは、図１のブランク１００、ならびに、図５、図７、および図８のパック６００およびブリスターカード７００を使用して、（図１１から図１４に示す）薬剤ブックレット８００の第１の実施形態の形成を示している。図９を参照すると、内側フロントパネル１１０は、折曲げ線１２６周りに回転して、外側フロントパネル１１２に対して結合する。図示の実施形態では、内側フロントパネル１１０の内側表面１０２は、外側フロントパネル１１２の内側表面１０２に固定されている。内側フロントパネル１１０の前方切抜き１４０は、外側フロントパネル１１２のプルタブ１８０に対して実質的に整列しており、内側ロッキングスロット１６８は、外側ロッキングスロット１７０に対して実質的に整列している。
【００４８】
ブリスターカード７００が接着されたパック６００は、ブランク１００のバックパネル１１６の内側表面１０２に対して配置されている。いくつかの実施形態では、パック６００および／またはブリスターカード７００は、ブランク１００のバックパネル１１６に接着される場合がある。図１０Ａを見ると、図示の実施形態では、第１のサイドパネル１１４は、折曲げ線１３０周りに、バックパネル１１６に対してほぼ垂直な関係になるように回転し、それにより、第１のサイドパネル１１４の内側表面１０２が、パック６００の第３の側壁６０８と対面する関係で係合するようになっている。同様に、第２のサイドパネル１１８は、折曲げ線１３４周りに、バックパネル１１６に対してほぼ垂直な関係になるように回転し、それにより、第２のサイドパネル１１８の内側表面１０２が、パック６００の第４の側壁６１０と対面する関係で係合するようになっている。第１の端部フラップ２５０は、第１のサイドパネル１１４の第１の端縁部２６０における折曲げ線周りに、第１のサイドパネル１１４に対してほぼ垂直な関係になるように回転し、それにより、第１の端部フラップ２５０の内側表面１０２が、パック６００の第１の側壁６０４と対面する関係で係合するようになっている。図示の実施形態では、第１の端部フラップ２５０は、パック６００の第１の側壁６０４に接着されるか別様に固定される。第２の端部フラップ２５２は、第１のサイドパネル１１４の第２の端縁部２６２における折曲げ線周りに、第１のサイドパネル１１４に対してほぼ垂直な関係になるように回転し、それにより、第２の端部フラップ２５２の内側表面１０２が、パック６００の第２の側壁６０６と対面する関係で係合するようになっている。図示の実施形態では、第２の端部フラップ２５２は、パック６００の第２の側壁６０６に接着されるか別様に固定される。第３の端部フラップ２５４は、第２のサイドパネル１１８の第１の端縁部２６４における折曲げ線周りに、第２のサイドパネル１１８に対してほぼ垂直な関係になるように回転し、それにより、第３の端部フラップ２５４の内側表面１０２が、パック６００の第１の側壁６０４と対面する関係で係合するようになっている。図示の実施形態では、第３の端部フラップ２５４は、パック６００の第１の側壁６０４に接着されるか別様に固定される。第４の端部フラップ２５６は、第２のサイドパネル１１８の第２の端縁部２６６における折曲げ線周りに、第２のサイドパネル１１８に対してほぼ垂直な関係になるように回転し、それにより、第４の端部フラップ２５６の内側表面１０２が、パック６００の第２の側壁６０６と対面する関係で係合するようになっている。図示の実施形態では、第４の端部フラップ２５６は、パック６００の第２の側壁６０６に接着されるか別様に固定される。
【００４９】
第１の内側大端部パネル２７２および第１の内側小端部パネル２７０は、バックパネル１１６の第１の端縁部２８６における折曲げ線周りに、バックパネル１１６に対してほぼ垂直な関係になるように回転する。第１の内側大端部パネル２７２は、パック６００の第１の側壁６０４および第３の端部フラップ２５４の外側表面１０４と対面する関係で係合する。図示の実施形態では、第１の内側大端部パネル２７２は、パック６００の第１の側壁６０４と第３の端部フラップ２５４との少なくとも一方に接着されるか別様に固定される。第１の内側小端部パネル２７０は、パック６００の第１の側壁６０４および第１の端部フラップ２５０の外側表面１０４と対面する関係で係合する。図示の実施形態では、第１の内側小端部パネル２７０は、パック６００の第１の側壁６０４と第１の端部フラップ２５０との少なくとも一方に接着されるか別様に固定される。第２の内側大端部パネル２７６および第２の内側小端部パネル２７４は、バックパネル１１６の第２の端縁部２８８における折曲げ線周りに、バックパネル１１６に対してほぼ垂直な関係になるように回転する。第２の内側大端部パネル２７６は、パック６００の第２の側壁６０６および第４の端部フラップ２５６の外側表面１０４と対面する関係で係合する。図示の実施形態では、第２の内側大端部パネル２７６は、パック６００の第２の側壁６０６と第４の端部フラップ２５６との少なくとも一方に接着されるか別様に固定される。第２の内側小端部パネル２７４は、パック６００の第２の側壁６０６および第２の端部フラップ２５２の外側表面１０４と対面する関係で係合する。図示の実施形態では、第２の内側小端部パネル２７４は、パック６００の第２の側壁６０６と第２の端部フラップ２５２との少なくとも一方に接着されるか別様に固定される。したがって、パック６００は、ブランク１００のバックパネル１１６に対して定位置に固定されている。
【００５０】
外側フロントパネル１１２および（外側フロントパネル１１２に固定された）内側フロントパネル１１０は、バックパネル１１６に対してほぼ平行な関係になるように、折曲げ線１２８周りに回転し、それにより、パック６００およびブリスターカード７００をカバーするとともに閉じるようになっている。第１の外側大端部パネル２８０および第１の外側小端部パネル２７８は、外側フロントパネル１１２の第１の端縁部２９０における折曲げ線周りに、外側フロントパネル１１２に対してほぼ垂直な関係になるように回転する。第１の外側大端部パネル２８０は、第１の内側大端部パネル２７２と第１の内側小端部パネル２７０との少なくとも一方と対面する関係で係合する。図示の実施形態では、第１の外側大端部パネル２８０の内側表面１０２は、第１の内側大端部パネル２７２と第１の内側小端部パネル２７０との少なくとも一方の外側表面１０４に接着されるか別様に固定される。第１の外側小端部パネル２７８は、第１の内側大端部パネル２７２と第１の内側小端部パネル２７０との少なくとも一方と対面する関係で係合する。図示の実施形態では、第１の外側小端部パネル２７８の内側表面１０２は、第１の内側大端部パネル２７２の外側表面１０４に接着される。
【００５１】
第２の外側大端部パネル２８４および第２の外側小端部パネル２８２は、外側フロントパネル１１２の第２の端縁部２９２における折曲げ線周りに、外側フロントパネル１１２に対してほぼ垂直な関係になるように回転する。第２の外側大端部パネル２８４は、第２の内側大端部パネル２７６と第２の内側小端部パネル２７４との少なくとも一方と対面する関係で係合する。図示の実施形態では、第２の外側大端部パネル２８４の内側表面１０２は、第２の内側大端部パネル２７６と第２の内側小端部パネル２７４との少なくとも一方の外側表面１０４に接着されるか別様に固定される。第２の外側小端部パネル２８２は、第２の内側大端部パネル２７６と第２の内側小端部パネル２７４との少なくとも一方と対面する関係で係合する。図示の実施形態では、第２の外側小端部パネル２８２の内側表面１０２は、第２の内側大端部パネル２７６の外側表面１０４に接着される。
【００５２】
一実施形態では、接着剤がフロント接着剤パネル１２０の内側表面１０２に塗布される。フロント接着剤パネル１２０は、外側フロントパネル１１２と対面する関係になるように、折曲げ線１３４周りに回転する。図示の実施形態では、フロント接着剤パネル１２０は、外側フロントパネル１１２の外側表面１０４に接着されるか別様に固定される。薬剤ブックレット８００は、内部に閉じたキャビティ（具体的には示されていない）を画定する。
【００５３】
さらに、カバーパネル１２２も、外側フロントパネル１１２と対面する関係で係合する。より具体的には、カバーパネル１２２の内側表面１０２は、外側フロントパネル１１２の外側表面１０４に対して結合する。一実施形態では、接着剤がサイド接着剤パネル１２４の内側表面１０２に塗布される。サイド接着剤パネル１２４は、第１のサイドパネル１１４と対面する関係になるように、折曲げ線１３８周りに回転する。図示の実施形態では、サイド接着剤パネル１２４は、第１のサイドパネル１１４の外側表面１０４に接着されるか別様に固定されて、図１１から図１４に示すように、薬剤ブックレット８００を形成する。
【００５４】
ブランク１００の代替的実施形態は図１０Ｂに示されており、この中で、バックパネル１１６は、第１の内側小端部パネル２７０または第１の内側大端部パネル２７２を含んでいない（すべて図１に示されている）。むしろ、バックパネル１１６の第１の端縁部２８６は、自由縁部である。さらに、外側フロントパネル１１２は、第１の外側小端部パネル２７８または第１の外側大端部パネル２８０を含んでいない。代わりに、外側フロントパネル１１２は、外側フロントパネル１１２の第１の端縁部２９０から延びる押込みフラップ７５０を含んでいる。押込みフラップ７５０は、第１のパネル７５２および第２のパネル７５４を含んでおり、第１のパネル７５２は第１の端縁部２９０から第２のパネル７５４に延び、第２のパネル７５４は第１のパネル７５２から折曲げ線７５６に沿って延びている。ブランク１００は、たとえば、手で形成される薬剤ブックレット８００の能力を向上させるように、押込みフラップ７５０を特徴とする場合がある。薬剤ブックレット８００がブランク１００から形成される場合、第２のパネル７５４は、第１のパネル７５２に対してほぼ垂直な関係になるように折曲げ線７５６周りに回転し、第１のパネル７５２は、第２のパネル７５４が薬剤ブックレット８００によって画定されたキャビティ（たとえば、パック６００の後ろ）内に挿入されるまで、第１の端縁部２９０における折曲げ線周りに回転し、それにより、薬剤ブックレット８００を閉じる。そのような代替的実施形態では、パック６００は、薬剤ブックレット８００の形成の間、薬剤ブックレット８００に完全には接着されない場合があり、それにより、パック６００がより容易に薬剤ブックレット８００内にスライドし、押込みフラップ７５０を閉じることによって内部に保持され得るようになっている。
【００５５】
図１１から図１４は、（図２４から図２９に示す）薬剤のパッケージングおよび分配システム２０００で使用するための、薬剤ブックレット８００の第１の例示的実施形態の様々な図である。より具体的には、図１１は薬剤ブックレット８００の上面図であり、図１２は薬剤ブックレットの底面図であり、図１３は開いた構成の薬剤ブックレット８００の斜視図であり、図１４は連続したタブアセンブリ１７５を示す、薬剤ブックレット８００の拡大図である。薬剤ブックレット８００は、頂壁８０２と、底壁８０４と、第１の側壁８０６と、第２の側壁８０８と、第１の端壁８１０と、第２の端壁８１２とを含んでいる。第１の側壁８０６は、ブランク１００の第２のサイドパネル１１８によって規定され、第２の側壁８０８は、ブランク１００の第１のサイドパネル１１４によって規定されている。図示の実施形態では、第２の側壁８０８は、サイド接着剤パネル１２４によってさらに規定されている。第１の端壁８１０は、ブランク１００の、第１の端部フラップ２５０および第３の端部フラップ２５４、第１の内側大端部パネル２７２、第１の内側小端部パネル２７０、第１の外側大端部パネル２８０、ならびに第１の外側小端部パネル２７８を含んでいる。同様に、第２の端壁８１２は、ブランク１００の、第２の端部フラップ２５２および第４の端部フラップ２５６、第２の内側大端部パネル２７６、第２の内側小端部パネル２７４、第２の外側大端部パネル２８４、ならびに第２の外側小端部パネル２８２を含んでいる。
【００５６】
図１２に示すように、底壁８０４は、ブランク１００のバックパネル１１６によって規定され、後方切抜き２１０を含んでいる。頂壁８０２は、ブランクの外側フロントパネル１１２および内側フロントパネル１１０によって少なくとも部分的に規定されている。図示の実施形態では、頂壁８０２は、その上にプリントされた印８３０を含んでいる。印８３０には、たとえば、内部に含まれる薬剤７０１の商用名および／もしくは科学的名称、薬剤７０１のイメージ、指示、ならびに／または、薬剤７０１の製造業者を識別する他の言葉もしくはイメージが含まれ得る。薬剤ブックレット８００の頂壁８０２は、（図２４から図２９に示す）システム２０００内で薬剤ブックレット８００がアクセスされるものとする順番を識別する一連番号８３２をさらに含んでいる。図示の実施形態では、頂壁８０２は、フロント接着剤パネル１２０と、（図１１に示す）閉じた位置では、ブランク１００のカバーパネル１２２によってさらに規定されている。図１３に示すように、頂壁８０２は、連続したタブアセンブリ１７５およびアクセスフラップ１９０を含んでいる。図１１から図１４には示されていないが、連続したタブアセンブリ１７５のプルタブ１８０のテール部分１８６の各々は、ブリスターカード７００の空のブリスターモジュール７１０と整列している。この整列により、プルタブ１８０の各テール部分１８６の下のさらなる剛性が提供され、プルタブ１８０のテール部分１８６に、連続したプルタブ１８０が順序とは異なって除去されることを可能にする力を加えることをさらに困難にしている。換言すると、テール部分１８６を空のブリスターモジュール７１０と整列させることにより、連続したタブアセンブリ１７５を最適化し、「現在の」プルタブ１８０が除去される前に「将来の」プルタブ１８０にアクセスすることをさらに防止している。このことは、薬剤ブックレット８００のチャイルドレジスタンスをも向上させている。
【００５７】
薬剤ブックレット８００を開くために、ユーザは、アクセス開口２２０を使用してロッキングタブ１７２の縁部２２４に係合し、ロッキングタブ１７２に力を加える場合があり、それにより、ロッキングタブ１７２が目打ち線１３６Ｂに沿ってフロント接着剤パネル１２０から結合解除され、折曲げ線１３６周りに回転するようになっている。ロッキングタブ１７２にさらに力を加えると、カバーパネル１２２は、目打ち線１３６Ａに沿ってフロント接着剤パネル１２４から結合解除する。カバーパネル１２２は折曲げ線１３８周りに外に回転し、外側フロントパネル１１２を露出させる。ユーザは、ロッキングタブ１７２をカバーパネル１２２の内側表面１０２に向かって回転させ、カバーパネル１２２を内側に回転させ、ロッキングタブ１７２を、（外側ロッキングスロット１７０と整列した内側ロッキングスロット１６８によって規定された）ロッキングスロット８２０を通して挿入することにより、薬剤ブックレット８００を閉じる場合がある。
【００５８】
薬剤ブックレット８００から薬剤を分配するために、ユーザは最初にアクセスフラップ１９０を（頂部前方切抜き１６０のアクセス開口１６２の第１の部分１６４を通して）内側に押し込み、これにより、ユーザが、連続したタブアセンブリ１７５内の第１のプルタブ１８０Ａのグリップ部分１８４にアクセスすることを可能にする。第１のプルタブ１８０Ａに外向きの力を加えると、第１のプルタブ１８０Ａは、第１のプルタブ１８０Ａの外辺部に沿って規定された目打ち線１８２に沿って頂壁８０２から結合解除する。図１４に示すように、頂部前方切抜き１６０は、第１のプルタブ１８０Ａが除去された際に露出する。図示の実施形態では、頂部前方切抜き１６０は、リマインダタブ１４６を含んでいる。リマインダタブ１４６には、ユーザにリマインダメッセージを提供するように構成された印１４７がプリントされている。たとえば、リマインダタブ１４６上の印１４７は、ユーザに、「食事とともに摂取する」または「Ｘの量の水を飲む」などの、第１の投与量の薬剤７０１を摂取することに関連する指示を想起させる場合がある。リマインダタブ１４６は、リマインダタブ１４６に上向きに力が加えられると、頂壁８０２から結合解除される。薬剤ブリスターモジュール７０８（たとえば、第１の日々の投与量の薬剤７０１に対応する）は、頂部前方切抜き１６０を通して露出される。薬剤７０１を薬剤ブックレット８００から分配するために、ユーザは、薬剤ブリスターモジュール７０８上に、頂部前方切抜き１６０を通して（たとえば、薬剤ブックレット８００の底壁８０４に向けて）力を加える。この力は、薬剤ブリスターモジュール７０８に包含された薬剤７０１を通して伝達され、これにより、ブリスターカード７００の第２の表面７０４のフォイル材料が断裂するか裂け、それにより、開口を形成する。この開口を通して、薬剤７０１がアクセスされる。
【００５９】
図１５Ａおよび図１５Ｂは、薬剤ブックレット９００の第２の例示的実施形態を示している。より具体的には、図１５Ａは、薬剤ブックレット９００の頂壁９０２の図であり、図１５Ｂは、薬剤ブックレット９００の後壁９０４の図である。（図２に示した）ブランク３００に関して説明されているように、薬剤ブックレット９００の後壁９０４は、後方切抜き３１０内に押抜きタブ３１２を含んでいる。さらに、頂壁９０２は、薬剤ブックレット９００が、（図２４から図２９に示す）システム２０００内でアクセスされる第２のブックレットであることを示すための一連番号９３２、ここでは、番号「２」を含んでいる。
【００６０】
図１６Ａおよび図１６Ｂは、薬剤ブックレット１０００の第３の例示的実施形態を示している。より具体的には、図１６Ａは、薬剤ブックレット１０００の頂壁１００２の図であり、図１６Ｂは、薬剤ブックレット１０００の後壁１００４の図である。（図３に示した）ブランク４００に関して説明されているように、薬剤ブックレット１０００の後壁１００４は、後方切抜き４１０を含んでいる。さらに、頂壁１００２は、薬剤ブックレット１０００が、（図２４から図２９に示す）システム２０００内でアクセスされる第３のブックレットであることを示すための一連番号１０３２、ここでは、番号「３」を含んでいる。
【００６１】
図１７Ａおよび図１７Ｂは、薬剤ブックレット１１００の第４の例示的実施形態を示している。より具体的には、図１７Ａは、薬剤ブックレット１１００の頂壁１１０２の図であり、図１７Ｂは、薬剤ブックレット１１００の後壁１１０４の図である。（図４に示した）ブランク５００に関して説明されているように、薬剤ブックレット１１００の後壁１１０４は、後方切抜き５１０を含んでいる。さらに、頂壁１１０２は、薬剤ブックレット１１００が、（図２４から図２９に示す）システム２０００内でアクセスされる第４のブックレットであることを示すための一連番号１１３２、ここでは、番号「４」を含んでいる。
【００６２】
それぞれの（図１に示す）ブランク１００、（図２に示す）ブランク３００、（図３に示す）ブランク４００、および（図４に示す）ブランク５００から形成される、（図１１から図１４に示す）薬剤ブックレット８００、（図１５Ａおよび図１５Ｂに示す）薬剤ブックレット９００、（図１６Ａおよび図１６Ｂに示す）薬剤ブックレット１０００、ならびに（図１７Ａおよび図１７Ｂに示す）薬剤ブックレット１１００の図示の実施形態は、本明細書に説明されている複数のチャイルドレジスタンスの特徴を有している。さらに、薬剤ブックレット８００、９００、１０００、１１００は、複数のコンプライアンスの特徴、および、大人、たとえば高齢者による使用を容易にするための印を含んでいる。アメリカ合衆国消費者製品安全委員会（ＣＰＳＣ）のプロトコルに従って高齢者と子供とに行ったテストでは、これらブックレットの図示の実施形態が、Ｆ＝１のレベルの基準（最小で９０％の不全）を満たした。
【００６３】
図１８は、（図２４から図２９に示す）薬剤のパッケージングおよび分配システム２０００で使用するための（図１９に示す）トレー１３００を構築するためのブランク１２００の頂部平面図である。ブランク１２００は、第１の表面または内側表面１２０２と、反対側の第２の表面または外側表面１２０４とを有している。さらに、ブランク１２００は、第１の縁部または前縁部１２０６と、反対側の第２の縁部または後縁部１２０８とを規定している。図示の実施形態では、ブランク１２００は、前縁部１２０６から後縁部１２０８に、内側サイドパネル１２１０、第１の外側サイドパネル１２１２、底部パネル１２１４、立上りパネル１２１６、および第２の外側サイドパネル１２１８を含んでいる。パネル１２１０、１２１２、１２１４、１２１６、および１２１８は、概して平行な複数の折曲げ線１２２０、１２２２、１２２４、および１２２６によってともに結合している。より具体的には、内側サイドパネル１２１０は前縁部１２０６から折曲げ線１２２０に延び、第１の外側サイドパネル１２１２は折曲げ線１２２０から延び、底部パネル１２１４は折曲げ線１２２２から延び、立上りパネル１２１６は折曲げ線１２２４から延び、第２の外側サイドパネル１２１８は折曲げ線１２２６から後縁部１２０８に延びている。折曲げ線１２２０、１２２２、１２２４、および１２２６、ならびに、本明細書に説明されている他の折曲げ線および／またはヒンジ線には、当業者に既知であり、本明細書に提供される教示によってガイドされる、任意の適切な弱化線および／または分離線が含まれ得る。
【００６４】
内側サイドパネル１２１０は、その自由縁部（たとえば、ブランク１２００の前縁部１２０６）に沿って規定された一対の底部ロッキングタブ１２３０を含んでいる。さらに、底部パネル１２１４は、折曲げ線１２２２に沿って規定され、底部パネル１２１４内に延びる、一対の底部ロッキングスロット１２３２を含んでいる。一対の底部ロッキングスロット１２３２は、トレー１３００がブランク１２００から形成される際に、底部ロッキングタブ１２３０を受領するように構成されている。
【００６５】
第１の外側サイドパネル１２１２は、その第１の端縁部１２４４から延びる第１の端部パネル１２４０と、反対側の、その第２の端縁部１２４６から延びる第２の端部パネル１２４２とを含んでいる。第１の端部パネル１２４０は、第１の外側サイドパネル１２１２とは反対側に、その端縁部１２５２から延びる第１の側部ロッキングタブ１２４８を含んでいる。同様に、第２の端部パネル１２４２は、第１の外側サイドパネル１２１２とは反対側に、その端縁部１２５４から延びる第２の側部ロッキングタブ１２５０を含んでいる。第２の外側サイドパネル１２１８は、その第１の端縁部１２６０から延びる第１のサポートフラップ１２５６と、反対側の、その第２の端縁部１２６２から延びる第２のサポートフラップ１２５８とを含んでいる。第１の側部ロッキングスロット１２６４は、第１のサポートフラップ１２５６内に規定されており、第２の外側サイドパネル１２１８の第１の端縁部１２６０に沿って規定された折曲げ線から第１のサポートフラップ１２５６内に延びている。第２の側部ロッキングスロット１２６６は、第２のサポートフラップ１２５８内に規定されており、第２の外側サイドパネル１２１８の第２の端縁部１２６２に沿って規定された折曲げ線から第２のサポートフラップ１２５８内に延びている。トレー１３００がブランク１２００から形成される際に、第１の側部ロッキングスロット１２６４と第２の側部ロッキングスロット１２６６とは、第１の側部ロッキングタブ１２４８と第２の側部ロッキングタブ１２５０とを内部にそれぞれ受領する。
【００６６】
第１の端部パネル１２４０は、その頂縁部１２７４から延びる第１のガイドパネル１２７０をさらに含み、第２の端部パネル１２４２は、その頂縁部１２７６から延びる第２のガイドパネル１２７２をさらに含んでいる。第１の隙間１２７８は、第１のガイドパネル１２７０と内側サイドパネル１２１０の第１の端縁部１２０９との間に規定されており、第２の隙間１２８０は、第２のガイドパネル１２７２と内側サイドパネル１２１０の第２の端縁部１２１１との間に規定されている。第１のガイドパネル１２７０と第２のガイドパネル１２７２とは、各々が、その自由縁部１２９２に沿って複数の線形の「止め部」１２９０を有している。自由縁部１２９２は、ピッチ１２９３を有している。各止め部１２９０は、各隣接する止め部１２９０から、ほぼ垂直な関係で向けられており、第１のガイドパネル１２７０と第２のガイドパネル１２７２とに、ほぼ同一の「ステップ状」の構成を規定している。トレー１３００がブランク１２００から形成される際に、第１のガイドパネル１２７０と第２のガイドパネル１２７２とは、第１の端部パネル１２４０と第２の端部パネル１２４２とそれぞれ対面する関係で結合し、第１のガイドパネル１２７０の複数の線形の止め部１２９０は、第２のガイドパネル１２７２の複数の線形の止め部１２９０と実質的に整列している。さらに、第１のガイドパネル１２７０は、内側サイドパネル１２１０の第１の端縁部１２０９と第１の端部パネル１２４０との間の第１の隙間１２７８内に保持され、第２のガイドパネル１２７２は、内側サイドパネル１２１０の第２の端縁部１２１１と第２の端部パネル１２４０との間の第２の隙間１２８０内に保持される。第２の外側サイドパネル１２１８は、底部パネル１２１４に対するほぼ垂直な関係になるように回転し、立上りパネル１２１６を、底部パネル１２１４に対するある傾斜角度に位置決めする。側部ロッキングスロット１２６４、１２６６は、側部ロッキングタブ１２４８、１２５０を受領する。したがって、トレー１３００は、薬剤ブックレット８００、９００、１０００、および／または１１００を受領し、本明細書にさらに説明するように、薬剤ブックレット８００、９００、１０００、および／または１１００をずらされた構成で内部に保持するように構成されている。
【００６７】
さらに、底部パネル１２１４は幅Ｗ１を有し、立上りパネル１２１６は幅Ｗ２を有している。幅Ｗ２は、ブランク１２００の厚さの約２倍だけ幅Ｗ１より小さい。トレー１３００がブランク１２００から形成される際に、低減された幅Ｗ２により、第１の端部パネル１２４０の内側表面１２０２が、立上りパネル１２１６の第１の端縁部１２８２と同一平面を成すことを可能にし、それにより、第１の端部パネル１２４０が、底部パネル１２１４の第１の端縁部１２８６と同一平面となり、トレー１３００の平坦な後壁１３１０を形成するようになっている。同様に、低減された幅Ｗ２により、第２の端部パネル１２４２の内側表面１２０２が、立上りパネル１２１６の第２の端縁部１２８４と同一平面を成すことを可能にし、それにより、第２の端部パネル１２４２が、底部パネル１２１４の第２の端縁部１２８８と同一平面となり、トレー１３００の平坦な前壁１３０８を形成するようになっている。さらに、第２の外側サイドパネル１２１８は第１の長さＬ１を有している。トレー１３００がブランク１２００から形成される際に、第２の外側サイドパネル１２１８の、底部パネル１２１４に対する垂直な関係への回転により、立上りパネル１２１６を底部パネル１２１４に対するある傾斜角度に配置する。第２の外側サイドパネル１２１８の長さＬ１は、折曲げ線１２２６に隣接する立上りパネル１２１６の縁部がどの程度の「高さ」に立ち上がるかを制御することにより、立上りパネル１２１６と底部パネル１２１４との間の傾斜角度を規定する。
【００６８】
図示の実施形態では、第２の端部パネル１２４２は、その頂縁部１２７６に沿って規定されたアクセス用切抜き１２９４をさらに含んでいる。アクセス用切抜き１２９４は、（図２６に示す）システム２０００の容器１６００の前壁１６０４に規定されたアクセス用切抜き１４６４に対応するように構成されている。
【００６９】
図１９は、（図２４から図２９に示す）薬剤のパッケージングおよび分配システム２０００で使用するための、図１８に示すブランク１２００から形成されたトレー１３００の斜視図である。トレー１３００は、底壁１３１４、第１の側壁１３１２、第２の側壁１３１８、第１の端壁１３１０（本明細書では「後壁」とも呼ばれる）、第２の端壁１３０８（本明細書では「前壁」とも呼ばれる）、および立上り部１３１６を含んでいる。底壁１３１４は、ブランク１２００の底部パネル１２１４によって規定され、立上り部１３１６は、立上りパネル１２１６によって規定され、第２の側壁１３１８は、第２の外側サイドパネル１２１８によって規定されている。第１の側壁１３１２は、第１の外側サイドパネル１２１２および内側サイドパネル１２１０によって規定されている。後壁１３１０は、第１の端部パネル１２４０によって規定され、前壁１３０８は、第２の端部パネル１２４２によって規定されている。
【００７０】
ブランク１２００からトレー１３００を形成するためには、内側サイドパネル１２１０は、第１の外側サイドパネル１２１２と対面する関係になるように、折曲げ線１２２０周りに回転する。図示の実施形態では、内側サイドパネル１２１０の内側表面１２０２は、第１の外側サイドパネル１２１２の内側表面１２０２に対して結合する。第１の外側サイドパネル１２１２は、折曲げ線１２２２に沿って底部パネル１２１４に向かって回転して、底部パネル１２１４に対してほぼ垂直な関係になり、底部ロッキングタブ１２３０は、底部ロッキングスロット１２３２と係合して、内側サイドパネル１２１０を第１の外側サイドパネル１２１２に対してロックし、それにより、第１の側壁１３１２を形成する。
【００７１】
第１のガイドパネル１２７０は、第１の端部パネル１２４０と対面する関係になるように、第１の端部パネル１２４０の頂縁部１２７４に沿う折曲げ線周りに回転する。第２のガイドパネル１２７２は、第２の端部パネル１２４２と対面する関係になるように、第２の端部パネル１２４２の頂縁部１２７６に沿う折曲げ線周りに回転する。第１の端部パネル１２４０は、第１の側壁１３１２に対してほぼ垂直な関係になるように、第１の外側サイドパネル１２１２の第１の端縁部１２４４における折曲げ線周りに回転する。第１のガイドパネル１２７０は、内側サイドパネル１２１０の第１の端縁部１２０９と第１の端部パネル１２４０との間の第１の隙間１２７８内に受領される。第２の端部パネル１２４２は、第１の側壁１３１２に対してほぼ垂直な関係になるように、第１の外側サイドパネル１２１２の第２の端縁部１２４６における折曲げ線周りに回転する。第２のガイドパネル１２７２は、内側サイドパネル１２１０の第２の端縁部１２１１と第２の端部パネル１２４２との間の第２の隙間１２８０内に受領される。
【００７２】
第２の外側サイドパネル１２１８は、底部パネル１２１４の内側表面１２０２から離れるように（すなわち、外向きに）、底部パネル１２１４に対してほぼ垂直な関係になるように、折曲げ線１２２６周りに回転し、それにより、第２の側壁１３１８を形成し、底壁１３１４を規定する。この回転により、立上り部１３１６を底壁１３１４に対するある傾斜角度に位置決めし、立上り部１３１６が、底壁１３１４によって規定された平面内の折曲げ線１２２４と、第２の側壁１３１８の頂縁部１３２０との間に延びている。
【００７３】
第１のサポートフラップ１２５６は、第２の外側サイドパネル１２１８の外側表面１２０４に向かって、外側表面１２０４に対してほぼ垂直な関係になるように回転し、第２のサポートフラップ１２５８は、第２の外側サイドパネル１２１８の外側表面１２０４に向かって、外側表面１２０４と垂直な関係になるように回転する。第１の側部ロッキングタブ１２４８は、内側に回転し、第１の側部ロッキングスロット１２６４内に挿入されて、後壁１３１０を定位置にロックする。同様に、第２の側部ロッキングタブ１２５０は、内側に回転し、第２の側部ロッキングスロット１２６６内に挿入されて、前壁１３０８を定位置にロックする。
【００７４】
図２０は、（図２４から図２９に示す）薬剤のパッケージングおよび分配システム２０００のための、（図２１から図２３に示す）容器１６００を形成するためのブランク１４００の例示的実施形態の頂部平面図である。ブランク１４００は、第１の表面または内側表面１４０２と、反対側の第２の表面または外側表面１４０４とを有している。さらに、ブランク１４００は、第１の縁部または前縁部１４０６と、反対側の第２の縁部または後縁部１４０８とを規定している。図示の実施形態では、ブランク１４００は、前縁部１４０６から後縁部１４０８に、第１のサイドパネル１４１０、フロントパネル１４１２、第２のサイドパネル１４１４、バックパネル１４１６、および接着剤フラップ１４１８を含んでいる。パネル１４１０、１４１２、１４１４、１４１６、および１４１８は、概して平行な複数の折曲げ線１４２０、１４２２、１４２４、および１４２６によってともに結合している。より具体的には、第１のサイドパネル１４１０は前縁部１４０６から折曲げ線１４２０に延び、フロントパネル１４１２は折曲げ線１４２０から延び、第２のサイドパネル１４１４は折曲げ線１４２２から延び、バックパネル１４１６は折曲げ線１４２４から延び、接着剤フラップ１４１８は折曲げ線１４２６から後縁部１４０８に延びている。折曲げ線１４２０、１４２２、１４２４、および１４２６、ならびに、本明細書に説明されている他の折曲げ線および／またはヒンジ線には、当業者に既知であり、本明細書に提供される教示によってガイドされる、任意の適切な弱化線および／または分離線が含まれ得る。
【００７５】
さらに、パネル１４１０、１４１２、１４１４、１４１６、および１４１８は、折曲げ線１４２０、１４２２、１４２４、および１４２６に対してほぼ垂直な頂縁部１４３０を規定している。図示の実施形態では、複数のパネルは頂縁部１４３０から延びている。より具体的には、大エンベロープパネル１４３２は第１のサイドパネル１４１０の頂縁部１４３０から延び、フロント補強パネル１４３８はフロントパネル１４１２の頂縁部１４３０から延び、内側頂部パネル１４４０は第２のサイドパネル１４１４の頂縁部１４３０から延び、外側頂部パネル１４４６はバックパネル１４１６の頂縁部１４３０から延びている。
【００７６】
小エンベロープパネル１４３４は、第１のサイドパネル１４１０とは反対側の、大エンベロープパネル１４３２の頂縁部１４３６から延びている。小エンベロープパネル１４３４は、その内側表面１４０２の自由縁部１４５８に沿って接着領域１４６０を含んでいる。容器１６００がブランク１４００から形成される際に、小エンベロープパネル１４３４は、接着領域１４６０に沿って大エンベロープパネル１４３２に接着され、大エンベロープパネル１４３２と小エンベロープパネル１４３４とは、（図２２に示す）エンベロープ１６１６を形成するように協同する。小エンベロープパネル１４３４は、その側縁部１４６２から延びる接着剤タブ（図示せず）をさらに含む場合がある。接着剤タブは、エンベロープ１６１６に包含された資料が、エンベロープ１６１６の底縁部を通って落ちないことを確実にするように、大エンベロープパネル１４３２に結合され得る。
【００７７】
図示の実施形態では、フロントパネル１４１２とフロント補強パネル１４３８とは、内部に規定されたアクセス用切抜き１４６４を含んでいる。より具体的には、アクセス用切抜き１４６４の第１の部分１４６６は、頂縁部１４３０からフロントパネル１４１２内に延び、アクセス用切抜き１４６４の第２の部分１４６８は、第１の部分１４６６に対してほぼ対称的に、頂縁部１４３０からフロント補強パネル１４３８内に延びる。容器１６００がブランク１４００から形成される際に、フロント補強パネル１４３８は、対面する関係でフロントパネル１４１２に対して結合するように回転する。したがって、フロントパネル１４１２とフロント補強パネル１４３８との両方に規定された実質的に対称な第１の部分１４６６と第２の部分１４６８とを有するアクセス用切抜き１４６４は、容器１６００内に、良好に規定されたアクセス用切抜き１４６４を確実にする。アクセス用切抜き１４６４は、フロントパネル１４１２の頂縁部１４３０にわたって実質的に対称には向けられていない場合がある。たとえば、代替的実施形態では、第２の部分１４６８が、フロント補強パネル１４３８内にさらに延びる場合があるか、第１の部分１４６６が、フロントパネル１４１２内にさらに延びる場合がある。
【００７８】
内側頂部パネル１４４０は、内部に規定された窓１４７０を含んでいる。容器１６００がブランク１４００から形成される際に、窓１４７０は、容器１６００のユーザが（図２４に示すように）内部に含まれる薬剤ブックレット８００、９００、１０００、および／または１１００を見ることを可能にする。さらに、内側頂部パネル１４４０は、コーナキャッチ１４７２とコーナアンカ１４７４とを含んでいる。コーナキャッチ１４７２は、内側頂部パネル１４４０の開口１４７６によって規定され、（図２４に示すように）容器１６００に含まれる指導的、教育的、または安全上の資料のコーナを受領および係合するように構成されている。コーナアンカ１４７４は、（やはり図２４に示す）容器１６００に含まれる資料の別のコーナおよび／または別の部分を受領および係合するように構成されているカットライン１４７８を含んでいる。
【００７９】
内側頂部パネル１４４０は、その頂縁部１４４４から延びる閉鎖リップ１４４２をさらに含んでいる。容器１６００がブランク１４００から形成される際に、閉鎖リップ１４４２は、内側頂部パネル１４４０に対してほぼ垂直な関係になるように回転する。閉鎖リップ１４４２は、容器１６００によって画定されたキャビティ１６２０内に挿入され、容器１６００の側壁１６０６を（図２２に示すように）カバーキャビティ１６２０に係合させる。アクセス用切抜き１４８０は、内側頂部パネル１４４０および閉鎖リップ１４４２内に規定されている。図示の実施形態では、アクセス用切抜き１４８０の第１の部分１４８２は、頂縁部１４４４から内側頂部パネル１４４０内に延び、第２の部分１４８４は、第１の部分１４８２に対して実質的に対称に、頂縁部１４４から閉鎖リップ１４４２内に延びる。アクセス用切抜き１４８０により、容器１６００のユーザが、内側頂部パネル１４４０の内側表面１４０２と係合し、内側頂部パネル１４４０を容器１６００のキャビティ１６２０から離れるように回転させることが可能になる（たとえば、容器１６００を開いて、容器１６００のキャビティ１６２０および任意の内容物を露出させる）。
【００８０】
頂部補強パネル１４４８は、外側頂部パネル１４４６の側縁部１４５０から延びる。容器１６００がブランク１４００から形成される際に、頂部補強パネル１４４８は、対面する関係で外側頂部パネル１４４６に対して結合して、外側頂部パネル１４４６を補強し、容器１６００の補強された頂壁１６０２を規定する。したがって、頂部補強パネル１４４８は、外側頂部パネル１４４６の寸法とほぼ同じか小さい寸法を有している。閉鎖リップ１４５２は、外側頂部パネル１４４６の頂縁部１４５４から延びている。容器１６００がブランク１４００から形成される際に、閉鎖リップ１４５２は、外側頂部パネル１４４６に対してほぼ垂直な関係になるように回転する。閉鎖リップ１４５２は、容器１６００のキャビティ１６２０内に挿入されるように構成され、容器１６００の前壁１６０４と係合（たとえば、摩擦フィット）して、容器１６００を閉じる。
【００８１】
パネル１４１０、１４１２、１４１４、および１４１６は、折曲げ線１４２０、１４２２、１４２４、および１４２６に対してほぼ垂直な底縁部１４９０をさらに規定している。図示の実施形態では、複数のパネルは底縁部１４９０から延びている。より具体的には、第１の小底部パネル１５０２は第１のサイドパネル１４１０の底縁部１４９０から延び、第１の大底部パネル１５０４はフロントパネル１４１２の底縁部１４９０から延び、第２の小底部パネル１５１０は第２のサイドパネル１４１４の底縁部１４９０から延び、第２の大底部パネル１５１２はバックパネル１４１６の底縁部１４９０から延びる。第１の大底部パネル１５０４は、折曲げ線１５０８に沿って第１の大底部パネル１５０４から延びる第１の結合タブ１５０６と、第１の大底部パネル１５０４の自由縁部１５２０および第１の結合タブ１５０６の自由縁部１５２２によって規定された第１のロック連結部１５１８とを含んでいる。同様に、第２の大底部パネル１５１２は、折曲げ線１５１６に沿って第２の大底部パネル１５１２から延びる第２の結合タブと、第２の大底部パネル１５１２の自由縁部１５３０および第２の結合タブ１５１４の自由縁部１５３２によって規定された第２のロック連結部１５２８とを含んでいる。第１のロック連結部１５１８と第２のロック連結部１５２８との各々は、大切抜き１５２４および小切抜き１５２６と、大切抜き１５３４および小切抜き１５３６とをそれぞれ含んでいる。第１の小底部パネル１５０２は、第１の接着領域１５４０を含んでいる。同様に、第２の小底部パネル１５１０は、第２の接着領域１５４２を含んでいる。容器１６００がブランク１４００から形成される際に、第１の大底部パネル１５０４および第２の大底部パネル１５１２、ならびに、第１の小底部パネル１５０２および第２の小底部パネル１５１０は、協同して容器１６００の底壁１６１２を形成する。より具体的には、第１の小底部パネル１５０２の接着領域１５４０は、第１の結合タブ１５０６と対面する関係で結合し、第２の小底部パネル１５１０の接着領域１５４２は、第２の結合タブ１５１４と対面する関係で結合する。ロック連結部１５１８、１５２８は、互いに係合して、底壁１６１２をロックするように構成されている。より具体的には、ロック連結部１５１８の二次切抜き１５２６と、ロック連結部１５２８の二次切抜き１５３６とが、互いに係合して、平坦な配置で底壁１６１２をロックする。
【００８２】
図２１から図２３は、様々な構成の、（図２４から図２９に示す）薬剤のパッケージングおよび分配システム２０００で使用するための、図２０のブランク１４００から形成された容器１６００の例示的実施形態を示している。図２１は完全に閉じられた構成の容器１６００の斜視図であり、図２２は中間の開いた構成の容器１６００の斜視図であり、図２３は（たとえば、図１９に示すトレー１３００を受領するために）完全に開いた構成の容器１６００の斜視図である。容器１６００は、頂壁１６０２、前壁１６０４、第１の側壁１６０６、後壁１６０８、第２の側壁１６１０、および底壁１６１２を含んでいる。壁１６０２、１６０４、１６０６、１６０８、１６１０、および／もしくは１６１２のいずれかもしくはすべては、安全性の警告および／もしくは指導的ガイダンスを容器１６００のユーザに提供するように、かつ／または、内部に含まれる薬剤を示すように、その壁の上にプリントまたは印を含む場合がある。
【００８３】
図示の実施形態では、頂壁１６０２は、ブランク１４００の頂部パネル１４４６および頂部補強パネル１４４８によって規定されている。底壁１６１２は、第１の大底部パネル１５０４および第２の大底部パネル１５１２、ならびに、第１の小底部パネル１５０２および第２の小底部パネル１５１０によって規定されている。第１の側壁１６０６は、第１のサイドパネル１４１０および接着剤フラップ１４０８によって規定され、第２の側壁１６１０は、第２のサイドパネル１４１４によって規定される。後壁１６０８は、バックパネル１４１６によって規定され、前壁１６０４は、フロントパネル１４１２およびフロント補強パネル１４３８によって規定されている。
【００８４】
ブランク１４００から容器１６００を形成するためには、接着剤フラップ１４１８が折曲げ線１４２６周りに回転し、バックパネル１４１６が折曲げ線１４２４周りに回転して、接着剤フラップ１４１８を、第１のサイドパネル１４１０に対して対面する関係になるように位置決めする。図示の実施形態では、接着剤フラップ１４１８の外側表面１４０４は、第１のサイドパネル１４１０の内側表面１４０２に接着されるか別様に固定される。
【００８５】
図示の実施形態では、第１の結合タブ１５０６は、第１の結合タブ１５０６の外側表面１４０４を第１の大底部パネル１５０４の外側表面１４０４に対して結合させるように回転する。同様に、第２の結合タブ１５１４は、第２の結合タブ１５１４の外側表面１４０４を第２の大底部パネル１５１２の外側表面１４０４に対して結合させるように回転する。さらに、第１の小底部パネル１５０２の第１の接着領域１５４０と第２の小底部パネル１５１０の第２の接着領域１５４２に、それぞれ接着材が塗布される。第１の結合タブ１５０６は、第１の小底部パネル１５０２と対面する関係で結合し、第２の結合タブ１５１４は、第２の小底部パネル１５１０と対面する関係で結合する。より具体的には、第１の結合タブ１５０６の内側表面１４０２は、第１の小底部パネル１５０２の外側表面１４０４と対面する関係で接着され、第２の結合タブ１５１４の内側表面１４０２は、第２の小底部パネル１５１０の外側表面１４０４と対面する関係で結合される。この段階では、容器１６００は、「フラットに分解された（ｋｎｏｃｋｅｄ−ｄｏｗｎ−ｆｌａｔ）」構成（図示せず）であり、ここでは、ブランク１４００の外側表面１４０４は実質的に露出し、ブランク１４００の内側表面１４０２は、最小限だけ露出している。容器１６００は、空間および／または輸送コストを節約するために、フラットに分解された構成で貯蔵および／または輸送され得る。容器１６００は、図２３に示すように、底が開いた構成に変化させることができ、ここでは、ロック連結部１５１８の小切抜き１５２６と、ロック連結部１５２８の小切抜き１５３６とが、互いに係合して、平坦な構成で底壁１６１２をロックし、それにより、容器１６００が使用されるために準備されるようになっている。
【００８６】
容器１６００の頂壁１６０２を形成するためには、頂部補強パネル１４４８が外側頂部パネル１４４６の側縁部１４５０に沿う折曲げ線周りに回転して、外側頂部パネル１４４６と対面した関係になる。より具体的には、頂部補強パネル１４４８の内側表面１４０２は、外側頂部パネル１４４６の内側表面１４０２に接着されるか別様に固定される。
【００８７】
容器１６００の前壁１６０４を形成するためには、フロント補強パネル１４３８がフロントパネル１４１２の頂縁部１４３０における折曲げ線周りに回転して、フロントパネル１４１２と対面した関係になる。より具体的には、フロント補強パネル１４３８の内側表面１４０２は、フロントパネル１４１２の内側表面１４０２に接着されるか別様に固定される。
【００８８】
前壁１６０４は、ブランク１４００のフロントパネル１４１２内に延びる第１の部分１４６６、および、フロント補強パネル１４３８内に延びる第２の部分１４６８によって規定されるように、アクセス用切抜き１４６４を含んでいる。頂壁１６０２から延びる閉鎖リップ１４５２は、前壁１６０４と摩擦フィットで係合して、容器１６００を開放可能に閉じる。容器１６００を開くために、ユーザは、アクセス用切抜き１４６４を通して閉鎖リップ１４５２と係合し、頂壁１６０２を上方に押し上げ、頂壁１６０２を後壁１６０８の頂縁部の折曲げ線周りに回転させることができる。
【００８９】
ここで図２２を参照すると、頂壁１６０２は、容器１６００によって画定されたキャビティ１６２０から離れるように回転し、ブランク１４００の内側頂部パネル１４４０によって規定された内側頂壁１６１４を露出させる。内側頂壁１６１４は、エンベロープ１６１６によってさらに規定され得る。ブランク１４００の大エンベロープパネル１４３２および小エンベロープパネル１４３４によって規定されたエンベロープ１６１６は、第１の側壁１６０６の頂縁部において規定された折曲げ線周りに、キャビティ１６２０から離れるように回転する。図２２の図には見られない内側頂部パネル１４４０の閉鎖リップ１４４２は、第１の側壁１６０６と係合して、内側頂壁１６１４を閉じた向きに維持する。（たとえば、図２３に示す完全に開いた構成への変化へ）完全に開いた容器１６００へと開くためには、ユーザは、（たとえば指を使用して）内側頂壁１６１４内のアクセス用切抜き１４８０と係合し、キャビティ１６２０に対して外向きの力を加え、キャビティ１６２０を露出させるように、第２の側壁１６１０の頂縁部における折曲げ線周りに内側頂壁１６１４を回転させ得る。追加的または代替的に、ユーザは、同様の方式で、前壁１６０４内のアクセス用切抜き１４６４と係合して、内側頂壁１６１４を開く。
【００９０】
容器１６００を閉じるには、内側頂壁１１４は、第２の側壁１６１０の頂縁部において、キャビティ１６２０に向かって折曲げ線周りに回転され、底壁１６１２に対してほぼ平行な関係になる。内側頂壁１６１４から延びる閉鎖リップ１４４２は、第１の側壁１６０６と係合して、内側頂壁１６１４を開放可能に閉じるとともに、キャビティ１６２０を実質的にカバーする。エンベロープ１６１６は、第１の側壁１６０６の頂縁部において、キャビティ１６２０に向かって折曲げ線周りに回転され、内側頂壁１６１４と対面した関係になる。頂壁１６０２は、底壁１６１２に対してほぼ平行な関係になるように回転し、内側頂壁１６１４およびエンベロープ１６１６をカバーする。頂壁１６０２から延びる閉鎖リップ１４５２は、前壁１６０４と係合して、容器１６００を開放可能に閉じることができる。
【００９１】
図２４から図２９は、（図２１から図２３に示す）容器１６００、（図１９に示す）トレー１３００、および（図１１から図１７Ｂに示す）薬剤ブックレット８００、９００、１０００、および／または１１００を含む、薬剤のパッケージングおよび分配システム２０００に関するシステム２０００の様々な斜視図を示している。図２４は、中間の開いた構成のシステム２０００の斜視図である。図２５は、完全に開いた構成のシステム２０００の第１の図であり、「完全な」または「完結した」システム２０００を示している。図２６は、完全に開いた構成のシステム２０００の第２の図であり、「空」のシステム２０００を示している（たとえば、いずれの薬剤ブックレットも内部に包含されていない）。図２７は、完全に開いた構成の、「第１のパッケージング段階」または「最終的な分配段階」にあるシステム２０００の第３の図を示している。図２８は、「中間のパッケージング段階」または「中間の分配段階」を示す、完全に開いた構成のシステム２０００の第４の図である。図２９は、別の「中間のパッケージング段階」または「中間の分配段階」を示す、完全に開いた構成のシステム２０００の第５の図である。
【００９２】
システム２０００が中間の開いた構成にある図２４を参照すると、容器１６００のエンベロープ１６１６は、内部に保持された資料２００２を含んでいる。資料２００２は、教育的であるか指導的な資料、安全性のガイドライン、警告、「クイック・スタート・ガイド」、薬剤情報、または、薬剤のパッケージングおよび分配システム２０００に関する任意の他の資料２００２である場合がある。容器１６００の内側頂壁１６１４は、内部に保持された資料２００４をも含んでいる。より具体的には、コーナキャッチ１４７２とコーナアンカ１４７４とは、協同して、資料２００４と係合するとともに保持する。一実施形態では、内側頂壁１６１４は、システム２０００のユーザに、内側頂壁１６１４を開く前に資料２００４および／または２００２を見るように指示する、その壁上にプリントされた印（図示せず）を含んでいる。内側頂壁１６１４に規定された窓１４７０は、トレー１３００内でずらされた構成の薬剤ブックレット８００、９００、１０００、および１１００を見えるように露出させている。図２４の図には見られない内側頂壁１６１４の閉鎖リップ１４４２は、容器１６００の第１の側壁１６０６および／またはトレー１３００の第１の側壁１３１２と係合して、内側頂壁１６１４を閉じた構成に維持する。
【００９３】
ここで図２５を参照すると、容器１６００の内側頂壁１６１４は、容器１６００のキャビティ１６２０から離れるように回転し、トレー１３００に保持された薬剤ブックレット８００、９００、１０００、１１００を露出させる。薬剤ブックレット８００、９００、１０００、１１００は、トレー１３００内でずらされた構成にあり、ユーザが、薬剤ブックレット８００、９００、１０００、１１００のすべてを一度に見ることを可能にし、ユーザが、薬剤ブックレット８００、９００、１０００、１１００に適切な順番でアクセスすることを確実にしている。たとえば、各薬剤ブックレット８００、９００、１０００、１１００の一連番号８３２、９３２、１０３２、１１３２は、ずらされた構成では視認可能である。
【００９４】
トレー１３００は、ずらされた構成で、複数の薬剤ブックレット８００、９００、１０００、および１１００を内部に保持するように構成されている。図示の実施形態では、トレー１３００は、１つ、２つ、３つ、または４つの薬剤ブックレット８００、９００、１０００、および／または１１００を内部に保持するように構成されている。図２７を参照すると、「底部の」薬剤ブックレット（例示的実施形態では、薬剤ブックレット１１００）は、システム２０００の第１のパッケージング段階でトレー１３００内に挿入され得る。底部の薬剤ブックレット１１００は、トレー１３００の底壁１３１４上に置かれる。より具体的には、底部薬剤ブックレット１１００の底壁１１０４の外側表面は、トレー１３００の底壁１３１４の内側表面と、対面した関係で係合する。底部薬剤ブックレット１１００の第１の端壁８１０は、トレー１３００の後壁１３１０と対面した関係で係合し得、かつ／または、底部薬剤ブックレット１１００の第２の端壁１８１２は、トレー１３００の前壁１３０８と対面した関係で係合し得る。底部薬剤ブックレット１１００の第１の側壁８０６は、トレー１３００の第１の側壁１３１２と係合し得、底部薬剤ブックレット１１００の第２の側壁８０８の底縁部は、トレー１３００の底壁１３１４、底壁１３１４と立上り部１３１６との間の折曲げ線１２２４、および／または立上り部１３１６と係合し得る。第１のガイドパネル１２７０の第１の平行な止め部１３２１と、対応する、第２のガイドパネル１２７２の第１の平行な止め部（図示せず）は、底部薬剤ブックレット１１００の頂壁１１０２と係合し得る。
【００９５】
図２８に示すように、別の薬剤ブックレット、「中間の底部の」薬剤ブックレット（例示的実施形態では、薬剤ブックレット１０００）は、システム２０００の第２のパッケージング段階でトレー１３００内に挿入され得る。中間の底部のブックレット１０００は、底部のブックレット１１００と垂直には整列していないが、むしろ、底部のブックレット１１００に対してずらされた構成にあるようにされている。第１のガイドパネル１２７０の第１の垂直な止め部１３２２と、対応する、第２のガイドパネル１２７２の第１の垂直な止め部（図示せず）は、中間の底部のブックレット１０００の第１の側壁８０６と、第１の平行な止め部１３２１の長さに対応するトレー１３００の第１の側壁１３１２からのある距離で係合する。図示の実施形態では、この距離により、薬剤ブックレット１０００の一連番号１０３２と、薬剤ブックレット１１００の一連番号１１３２を同時に見やすいようにする。第１のガイドパネル１２７０の第２の平行な止め部１３２４と、対応する、第２のガイドパネル１２７２の第２の平行な止め部（図示せず）は、中間の底部薬剤ブックレット１０００の頂壁１００２と係合し得る。中間の底部のブックレット１０００の底壁１００４の一部は、底部のブックレット１１００の頂壁１１０２上に置かれるとともに、頂壁１１０２と係合する。さらに、中間の底部の薬剤ブックレット１０００の第２の側壁８０８の底縁部は、立上り部１３１６と係合する。トレー１３００の底壁１３１４に対する立上り部１３１６の傾斜角度は、ガイドパネル１２７０、１２７２の「ステップ」の「角度」、または、ガイドパネル１２７０、１２７２の概略的なピッチ１２９３に対応し、それにより、立上り部１３１６が、薬剤ブックレット１１００、１１００を、底壁１３１４に対するほぼ平行な関係に維持するようになっている。
【００９６】
同様に、図２９に示すように、別の薬剤ブックレット、「中間の頂部の」薬剤ブックレット（例示的実施形態では、薬剤ブックレット９００）は、システム２０００の第３のパッケージング段階でトレー１３００内に挿入され得る。中間の頂部の薬剤ブックレット９００は、中間の底部の薬剤ブックレット１０００と垂直には整列していないが、むしろ、中間の底部の薬剤ブックレット１０００に対してずらされた構成にあるようにされている。第１のガイドパネル１２７０の第２の垂直な止め部１３２６と、対応する、第２のガイドパネル１２７２の第２の垂直な止め部（図示せず）は、中間の頂部の薬剤ブックレット９００の第１の側壁８０６と、第２の平行な止め部１３２４の長さに対応する距離で係合する。第１のガイドパネル１２７０の第３の平行な止め部１３２８と、対応する、第２のガイドパネル１２７２の第３の平行な止め部（図示せず）は、中間の頂部の薬剤ブックレット９００の頂壁９０２と係合し得る。中間の頂部のブックレット９００の底壁９０４の一部は、中間の底部のブックレット１０００の頂壁１００２上に置かれるとともに、頂壁１００２と係合する。さらに、中間の頂部の薬剤ブックレット９００の第２の側壁８０８の底縁部は、立上り部１３１６と係合する。これにより、中間の頂部の薬剤ブックレット９００を、底壁１３１４に対するほぼ平行な向きに維持している。
【００９７】
ここで図２５を参照すると、図示の実施形態では、第４の、最後の薬剤ブックレット、「頂部の」薬剤ブックレット（例示的実施形態では、薬剤ブックレット８００）は、システム２０００の第４または最後のパッケージング段階でトレー１３００内に挿入され得る。頂部の薬剤ブックレット８００は、中間の頂部の底部のブックレット９００と垂直には整列していないが、むしろ、中間の頂部の薬剤ブックレット９００に対してずらされた構成にあるようにされている。第１のガイドパネル１２７０の第３の垂直な止め部１３３０と、対応する、第２のガイドパネル１２７２の第３の垂直な止め部（図示せず）は、頂部の薬剤ブックレット８００の第１の側壁８０６と、第３の平行な止め部１３２８の長さに対応する距離で係合する。図示の実施形態では、頂部薬剤ブックレット８００の頂壁８０２は、トレー１３００の後壁１３１０、第１の側壁１３１２、および前壁１３０８に規定されている、トレー１３００の頂縁部１３５０とほぼ同じ平面にある。さらに、頂部の薬剤ブックレット８００の第２の側壁８０８の底縁部は、トレー１３００の第２の側壁１３１８の（図１９に示す）頂縁部１３２０と係合する。
【００９８】
薬剤ブックレット８００、９００、１０００、および１１００は、上述の「パッケージング段階」に対して逆の順番の「分配段階」において、システム２０００から（たとえば、トレー１３００から）取り出され得ることを理解されたい。ユーザは、薬剤ブックレット８００をトレー１３００から取り出すことにより、頂部の薬剤ブックレット８００にアクセスし得る。頂部の薬剤ブックレット８００は、頂部の薬剤ブックレット８００の第１の側壁８０６に係合すること、および、頂部の薬剤ブックレット８００をトレー１３００から垂直に引き出すことにより、トレー１３００から取り出され得る。頂部の薬剤ブックレット８００を取り出すことにより、トレー１３００内の中間の頂部のブックレット９００にアクセスすることが可能になる。中間の頂部のブックレット９００（ならびに、それに続く薬剤ブックレット１０００および１１００）は、薬剤ブックレット９００をガイドパネル１２７０、１２７２から離れるようにスライドさせることにより、トレー１３００から取り出され得、それにより、薬剤ブックレット９００の第２の側壁８０８の底縁部が立上り部１３１６を「スライドして上が」って、トレー１３００から垂直に引き出されるようになっている。薬剤ブックレット１０００および１１００への連続している「分配」のシークエンスまたは次のアクセスは、底部の薬剤ブックレット１１００が取り出されるまで続く。
【００９９】
薬剤のパッケージングおよび分配システム２０００の図示の実施形態が、４つの薬剤ブックレットを保持し、パッケージングし、かつ表示するための機能を含んでいるが、システム２０００は、より少ないか、さらなる薬剤ブックレット、または、特定の一連の治療によって要求されるのに応じて、代替的なサイズ、形状、もしくは構成の薬剤ブックレットを保持および表示するように、スケールアップされるかスケールダウンされ得ることを理解されたい。さらに、薬剤のパッケージングおよび分配システム２０００の図示の実施形態が、薬剤ブックレットを保持し、パッケージングし、かつ表示するための機能を含んでいるが、システム２０００は、特定の順番を固守することを必要とする場合がある薬剤および／または他の製品を保持するように変更され得ることを理解されたい。
【０１００】
この前述の詳細な説明は、ベストモードを含め、実施形態を開示するため、かつ、やはり、任意のデバイスまたはシステムを形成および使用すること、ならびに、任意の組み込まれた方法を実施することを含め、任意の当業者が本開示を実施することを可能にするために、例を使用している。実施形態の特許可能な範囲は、特許請求の範囲によって規定され、当業者に想起される他の例を含む場合がある。そのような他の例は、それら例が、特許請求の範囲の文字通りの言葉とは異なっていない構造的要素を有する場合、または、それら例が、特許請求の範囲の文字通りの言葉から実体のない相違を伴う、均等の構造的要素を含む場合、特許請求の範囲の範囲内にあることが意図される。
【図１】
2018531705.tif 000003
【図２】
2018531705.tif 000004
【図３】
2018531705.tif 000005
【図４】
2018531705.tif 000006
【図５】
2018531705.tif 000007
【図６】
2018531705.tif 000008
【図７】
2018531705.tif 000009
【図８】
2018531705.tif 000010
【図９】
2018531705.tif 000011
【図１０Ａ】
2018531705.tif 000012
【図１０Ｂ】
2018531705.tif 000013
【図１１】
2018531705.tif 000014
【図１２】
2018531705.tif 000015
【図１３】
2018531705.tif 000016
【図１４】
2018531705.tif 000017
【図１５Ａ】
2018531705.tif 000018
【図１５Ｂ】
2018531705.tif 000019
【図１６Ａ】
2018531705.tif 000020
【図１６Ｂ】
2018531705.tif 000021
【図１７Ａ】
2018531705.tif 000022
【図１７Ｂ】
2018531705.tif 000023
【図１８】
2018531705.tif 000024
【図１９】
2018531705.tif 000025
【図２０】
2018531705.tif 000026
【図２１】
2018531705.tif 000027
【図２２】
2018531705.tif 000028
【図２３】
2018531705.tif 000029
【図２４】
2018531705.tif 000030
【図２５】
2018531705.tif 000031
【図２６】
2018531705.tif 000032
【図２７】
2018531705.tif 000033
【図２８】
2018531705.tif 000034
【図２９】
2018531705.tif 000035
【国際調査報告】
2018531705.tif 000036
2018531705.tif 000037
2018531705.tif 000038
2018531705.tif 000039